(57)【要約】      （修正有）【課題】受信機においてデータを効率的に復号するための技法を提供する。【解決手段】複数のコードブロックの初期割振り復号時間を取得するため、複数のトランスポートブロックの複数のコードブロックに受信機の合計の利用可能な復号時間が割り振られる。各コードブロックの初期割振り復号時間は、そのコードブロックのために実行すべき特定の数の復号反復によって与えられる。１つまたは複数のトランスポートブロックの１つまたは複数のコードブロックが復号される。その後、未復号コードブロックのための更新された割振り復号時間を取得するため、残りの利用可能な復号時間が決定され、複数のトランスポートブロックの未復号コードブロックに再割り振りされる。残りの利用可能な復号時間は、トランスポートブロックのコードブロック、トランスポートブロック、キャリアおよび無線アクセス技術、またはそれらの組合せにわたって再割り振りされる。【選択図】図８
2017050876.tif 000002
【特許請求の範囲】
【請求項１】
受信機の合計の利用可能な復号時間に基づいて複数のトランスポートブロックの複数のコードブロックのための初期割振り復号時間を決定することと、各トランスポートブロックが少なくとも１つのコードブロックを含む、
前記複数のトランスポートブロックのうちの１つまたは複数の１つまたは複数のコードブロックを復号した後の残りの利用可能な復号時間を決定することと、
前記残りの利用可能な復号時間に基づいて前記複数のトランスポートブロックの未復号コードブロックのための更新された割振り復号時間を決定することと
を備える、ワイヤレス通信のための方法。
【請求項２】
複数の送信アンテナから複数の受信アンテナへの多入力多出力（ＭＩＭＯ）送信を介して前記複数のトランスポートブロックを受信すること
をさらに備える、請求項１に記載の方法。
【請求項３】
複数のキャリア上で前記複数のトランスポートブロックを受信することをさらに備え、前記複数のトランスポートブロックが前記複数のキャリアの各々上に少なくとも１つのトランスポートブロックを含む、
請求項１に記載の方法。
【請求項４】
複数の無線アクセス技術を介して前記複数のトランスポートブロックを受信することをさらに備え、前記複数のトランスポートブロックが、前記複数の無線アクセス技術の各々のために少なくとも１つのトランスポートブロックを含む、
請求項１に記載の方法。
【請求項５】
前記複数のコードブロックが、等しい初期割振り復号時間または等しい数の復号反復を割り振られる、請求項１に記載の方法。
【請求項６】
初期割振り復号時間を前記決定することが、コードブロックの受信信号品質、または前記コードブロックのための変調およびコーディング方式（ＭＣＳ）、または両方に基づいて前記コードブロックのための初期割振り復号時間を決定することを備える、請求項１に記載の方法。
【請求項７】
初期割振り復号時間を前記決定することが、コードブロックの測定された受信信号品質としきい値受信信号品質とに基づいて前記コードブロックのための初期割振り復号時間を決定することを備える、請求項１に記載の方法。
【請求項８】
初期割振り復号時間を前記決定することが、トランスポートブロックの復号されたコードブロックの実際の復号時間に基づいて前記トランスポートブロックのコードブロックのための初期割振り復号時間を決定することを備える、請求項１に記載の方法。
【請求項９】
初期割振り復号時間を前記決定することが、第２のトランスポートブロックの復号されたコードブロックの実際の復号時間に基づいて第１のトランスポートブロックのコードブロックのための初期割振り復号時間を決定することを備える、請求項１に記載の方法。
【請求項１０】
前記複数のトランスポートブロックの各々のための割振り復号時間を決定することをさらに備え、
ここにおいて、残りの利用可能な復号時間を前記決定することが、前記複数のトランスポートブロックの中のトランスポートブロックのための前記割振り復号時間と、前記トランスポートブロックの１つまたは複数のコードブロックの実際の復号時間とに基づいて、前記トランスポートブロックの前記１つまたは複数のコードブロックを復号した後の、前記トランスポートブロックのための残りの利用可能な復号時間を決定することを備え、および
ここにおいて、更新された割振り復号時間を前記決定することが、前記トランスポートブロックのための前記残りの利用可能な復号時間に基づいて前記トランスポートブロックの未復号コードブロックのための更新された割振り復号時間を決定することを備える、
請求項１に記載の方法。
【請求項１１】
前記複数のトランスポートブロックの各々のための割振り復号時間を前記決定することが、各トランスポートブロックのすべてのコードブロックのための初期割振り復号時間に基づいて前記各トランスポートブロックのための前記割振り復号時間を決定することを備える、請求項１０に記載の方法。
【請求項１２】
前記複数のトランスポートブロックの各々のための割振り復号時間を決定することをさらに備え、
ここにおいて、残りの利用可能な復号時間を前記決定することが、前記複数のトランスポートブロックの中のトランスポートブロックのすべてのコードブロックを復号した後の前記受信機の残りの利用可能な復号時間を決定することを備え、および
ここにおいて、更新された割振り復号時間を前記決定することが、
前記受信機の前記残りの利用可能な復号時間に基づいて、まだ復号されていない各残りのトランスポートブロックのための更新された割振り復号時間を決定することと、
前記各残りのトランスポートブロックのための前記更新された割振り復号時間に基づいて、まだ復号されていない各残りのトランスポートブロックの各コードブロックのための更新された割振り復号時間を決定することと
を備える、
請求項１に記載の方法。
【請求項１３】
前記複数のキャリアの各々のための割振り復号時間を決定することをさらに備え、
ここにおいて、残りの利用可能な復号時間を前記決定することが、前記複数のキャリアの中のキャリア上のすべてのトランスポートブロックのすべてのコードブロックを復号した後の前記受信機の残りの利用可能な復号時間を決定することを備え、および
ここにおいて、更新された割振り復号時間を前記決定することが、前記受信機の前記残りの利用可能な復号時間に基づいて、まだ復号されていない少なくとも１つの残りのキャリアのためのトランスポートブロックのコードブロックのための更新された割振り復号時間を決定することを備える、
請求項３に記載の方法。
【請求項１４】
前記複数の無線技術の各々のための割振り復号時間を決定することをさらに備え、
ここにおいて、残りの利用可能な復号時間を前記決定することが、前記複数の無線アクセス技術の中の無線アクセス技術のためのすべてのトランスポートブロックのすべてのコードブロックを復号した後の前記受信機の残りの利用可能な復号時間を決定することを備え、および
ここにおいて、更新された割振り復号時間を前記決定することが、前記受信機の前記残りの利用可能な復号時間に基づいて、まだ復号されていない少なくとも１つの残りの無線アクセス技術のためのトランスポートブロックのコードブロックのための更新された割振り復号時間を決定することを備える、
請求項４に記載の方法。
【請求項１５】
初期割振り復号時間を前記決定することが、複数のサブフレームの各々中の前記複数のトランスポートブロックの前記複数のコードブロックのための前記初期割振り復号時間を決定することを備え、各サブフレームが所定の持続時間を有する、請求項１に記載の方法。
【請求項１６】
前記受信機において受信信号品質を推定することと、
前記受信信号品質とオフセットとに基づいてチャネル品質インジケータを決定することと、前記オフセットが、前記チャネル品質インジケータに基づいて送られるコードブロックのための復号反復の必要とされる数を低減するように選択される、
前記チャネル品質インジケータを送信機に送ることと
をさらに備える、請求項１に記載の方法。
【請求項１７】
受信機の合計の利用可能な復号時間に基づいて複数のトランスポートブロックの複数のコードブロックのための初期割振り復号時間を決定するための手段と、各トランスポートブロックが少なくとも１つのコードブロックを含む、
前記複数のトランスポートブロックのうちの１つまたは複数の１つまたは複数のコードブロックを復号した後の残りの利用可能な復号時間を決定するための手段と、
前記残りの利用可能な復号時間に基づいて前記複数のトランスポートブロックの未復号コードブロックのための更新された割振り復号時間を決定するための手段と
を備える、ワイヤレス通信のための装置。
【請求項１８】
初期割振り復号時間を決定するための前記手段が、コードブロックの受信信号品質、または前記コードブロックのための変調およびコーディング方式（ＭＣＳ）、または両方に基づいて前記コードブロックのための初期割振り復号時間を決定するための手段を備える、請求項１７に記載の装置。
【請求項１９】
初期割振り復号時間を決定するための前記手段が、コードブロックの測定された受信信号品質としきい値受信信号品質とに基づいて前記コードブロックのための初期割振り復号時間を決定するための手段を備える、請求項１７に記載の装置。
【請求項２０】
前記複数のトランスポートブロックの各々のための割振り復号時間を決定するための手段をさらに備え、
ここにおいて、残りの利用可能な復号時間を決定するための前記手段が、前記複数のトランスポートブロックの中のトランスポートブロックのための前記割振り復号時間と、前記トランスポートブロックの１つまたは複数のコードブロックの実際の復号時間とに基づいて、前記トランスポートブロックの前記１つまたは複数のコードブロックを復号した後の、前記トランスポートブロックのための残りの利用可能な復号時間を決定するための手段を備え、および
ここにおいて、更新された割振り復号時間を決定するための前記手段が、前記トランスポートブロックのための前記残りの利用可能な復号時間に基づいて前記トランスポートブロックの未復号コードブロックのための更新された割振り復号時間を決定するための手段を備える、
請求項１７に記載の装置。
【請求項２１】
前記複数のトランスポートブロックの各々のための割振り復号時間を決定するための手段をさらに備え、
ここにおいて、残りの利用可能な復号時間を決定するための前記手段が、前記複数のトランスポートブロックの中のトランスポートブロックのすべてのコードブロックを復号した後の前記受信機の残りの利用可能な復号時間を決定するための手段を備え、および
ここにおいて、更新された割振り復号時間を決定するための前記手段が、
前記受信機の前記残りの利用可能な復号時間に基づいて、まだ復号されていない各残りのトランスポートブロックのための更新された割振り復号時間を決定するための手段と、
前記各残りのトランスポートブロックのための前記更新された割振り復号時間に基づいて、まだ復号されていない各残りのトランスポートブロックの各コードブロックのための更新された割振り復号時間を決定するための手段と
を備える、
請求項１７に記載の装置。
【請求項２２】
前記複数のキャリアの各々のための割振り復号時間を決定するための手段をさらに備え、
ここにおいて、残りの利用可能な復号時間を決定するための前記手段が、複数のキャリアの中のキャリア上のすべてのトランスポートブロックのすべてのコードブロックを復号した後の前記受信機の残りの利用可能な復号時間を決定するための手段を備え、および
ここにおいて、更新された割振り復号時間を決定するための前記手段が、前記受信機の前記残りの利用可能な復号時間に基づいて、まだ復号されていない少なくとも１つの残りのキャリアのためのトランスポートブロックのコードブロックのための更新された割振り復号時間を決定するための手段を備える、
請求項１７に記載の装置。
【請求項２３】
前記複数の無線技術の各々のための割振り復号時間を決定するための手段をさらに備え、
ここにおいて、残りの利用可能な復号時間を決定するための前記手段が、複数の無線アクセス技術の中の無線アクセス技術のためのすべてのトランスポートブロックのすべてのコードブロックを復号した後の前記受信機の残りの利用可能な復号時間を決定するための手段を備え、および
ここにおいて、更新された割振り復号時間を決定するための前記手段が、前記受信機の前記残りの利用可能な復号時間に基づいて、まだ復号されていない少なくとも１つの残りの無線アクセス技術のためのトランスポートブロックのコードブロックのための更新された割振り復号時間を決定するための手段を備える、
請求項１７に記載の装置。
【請求項２４】
受信機の合計の利用可能な復号時間に基づいて複数のトランスポートブロックの複数のコードブロックのための初期割振り復号時間を決定することと、各トランスポートブロックが少なくとも１つのコードブロックを含む、
前記複数のトランスポートブロックのうちの１つまたは複数の１つまたは複数のコードブロックを復号した後の残りの利用可能な復号時間を決定することと、
前記残りの利用可能な復号時間に基づいて前記複数のトランスポートブロックの未復号コードブロックのための更新された割振り復号時間を決定することと
を行うように構成された回路
を備える、ワイヤレス通信のための装置。
【請求項２５】
前記回路が、コードブロックの受信信号品質、または前記コードブロックのための変調およびコーディング方式（ＭＣＳ）、または両方に基づいて前記コードブロックのための初期割振り復号時間を決定するように構成された、請求項２４に記載の装置。
【請求項２６】
前記回路が、コードブロックの測定された受信信号品質としきい値受信信号品質とに基づいて前記コードブロックのための初期割振り復号時間を決定するように構成された、請求項２４に記載の装置。
【請求項２７】
前記回路が、
前記複数のトランスポートブロックの各々のための割振り復号時間を決定することと、
前記複数のトランスポートブロックの中のトランスポートブロックのための前記割振り復号時間と、前記トランスポートブロックの１つまたは複数のコードブロックの実際の復号時間とに基づいて、前記トランスポートブロックの前記１つまたは複数のコードブロックを復号した後の、前記トランスポートブロックのための残りの利用可能な復号時間を決定することと、
前記トランスポートブロックのための前記残りの利用可能な復号時間に基づいて前記トランスポートブロックの未復号コードブロックのための更新された割振り復号時間を決定することと
を行うように構成された、請求項２４に記載の装置。
【請求項２８】
前記回路が、
前記複数のトランスポートブロックの各々のための割振り復号時間を決定することと、
前記複数のトランスポートブロックの中のトランスポートブロックのすべてのコードブロックを復号した後の前記受信機の残りの利用可能な復号時間を決定することと、
前記受信機の前記残りの利用可能な復号時間に基づいて、まだ復号されていない各残りのトランスポートブロックのための更新された割振り復号時間を決定することと、
前記各残りのトランスポートブロックのための前記更新された割振り復号時間に基づいて、まだ復号されていない各残りのトランスポートブロックの各コードブロックのための更新された割振り復号時間を決定することと
を行うように構成された、請求項２４に記載の装置。
【請求項２９】
前記回路が、
前記複数のキャリアの各々のための割振り復号時間を決定することと、
複数のキャリアの中のキャリア上のすべてのトランスポートブロックのすべてのコードブロックを復号した後の前記受信機の残りの利用可能な復号時間を決定することと、
前記受信機の前記残りの利用可能な復号時間に基づいて、まだ復号されていない少なくとも１つの残りのキャリアのためのトランスポートブロックのコードブロックのための更新された割振り復号時間を決定することと
を行うように構成された、請求項２４に記載の装置。
【請求項３０】
前記回路が、
前記複数の無線技術の各々のための割振り復号時間を決定することと、
複数の無線アクセス技術の中の無線アクセス技術のためのすべてのトランスポートブロックのすべてのコードブロックを復号した後の前記受信機の残りの利用可能な復号時間を決定することと、
前記受信機の前記残りの利用可能な復号時間に基づいて、まだ復号されていない少なくとも１つの残りの無線アクセス技術のためのトランスポートブロックのコードブロックのための更新された割振り復号時間を決定することと
を行うように構成された、請求項２４に記載の装置。
【請求項３１】
受信機の合計の利用可能な復号時間に基づいて複数のトランスポートブロックの複数のコードブロックのための初期割振り復号時間を決定することを少なくとも１つのコンピュータに行わせるためのコードと、各トランスポートブロックが少なくとも１つのコードブロックを含む、
前記複数のトランスポートブロックのうちの１つまたは複数の１つまたは複数のコードブロックを復号した後の残りの利用可能な復号時間を決定することを前記少なくとも１つのコンピュータに行わせるためのコードと、
前記残りの利用可能な復号時間に基づいて前記複数のトランスポートブロックの未復号コードブロックのための更新された割振り復号時間を決定することを前記少なくとも１つのコンピュータに行わせるためのコードと
を備える非一時的コンピュータ可読媒体
を備える、コンピュータプログラム製品。
【発明の詳細な説明】
【技術分野】
【０００１】
[0001]本開示は、一般に通信に関し、より詳細には、受信機によって復号を実行するための技法に関する。
【背景技術】
【０００２】
[0002]ワイヤレス通信システムは、音声、ビデオ、パケットデータ、メッセージング、ブロードキャストなど、様々な通信コンテンツを提供するために広く展開されている。これらのワイヤレスシステムは、利用可能なシステムリソースを共有することによって複数のユーザをサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムがある。
【０００３】
[0003]ワイヤレス通信システムは、いくつかのユーザ機器（ＵＥ）のための通信をサポートすることができるいくつかの基地局を含み得る。ＵＥは、ダウンリンクとアップリンクとを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
[0004]送信機（たとえば、基地局）は、受信機（たとえば、ＵＥ）に所定の時間間隔内に複数のコードブロック（またはデータパケット）を送り得る。送信機は、ターボエンコーダで各コードブロックを別々に符号化し得、複数の符号化されたブロックを取得し得る。送信機は、それらの複数の符号化されたブロックをさらに処理し、所定の時間間隔内に（たとえば、異なる空間、時間、および／または周波数リソース上で）送信し得る。複数の符号化されたブロックは、同じまたは異なる変調およびコーディング方式（ＭＣＳ：modulation and coding scheme）に基づいて生成され得、異なるチャネル状態を観測し得、正しい復号のための異なる要件を有し得る。受信機によって受信されたすべてのコードブロックのための復号を効率的に実行することが望ましいことがある。
【発明の概要】
【０００５】
[0005]本明細書では、ワイヤレス通信システム中の受信機においてデータを効率的に復号するための技法が開示される。本開示の一態様では、受信機の利用可能な復号時間がコードブロックに割り振られ、トランスポートブロック、またはキャリア、または無線アクセス技術、または何らかの他の次元、またはそれらの組合せにわたって共有され得る。この共有は、受信機の所与の復号能力の復号性能を改善し得る。利用可能な復号時間のこの共有により、受信機は、必要とされる復号能力がより小さいワーストケース動作条件をサポートすることと、他の動作条件の下でより良い性能を提供することとが可能になり得る。
【０００６】
[0006]一例では、複数のトランスポートブロックの複数のコードブロックに初めに受信機の合計の利用可能な復号時間が割り振られ得る。各トランスポートブロックは少なくとも１つのコードブロックを含み得、各コードブロックは任意のサイズを有し得る。各トランスポートブロックは、そのトランスポートブロックの各コードブロックのために使用すべき特定のＭＣＳに関連付けられ得る。複数のトランスポートブロックの複数のコードブロックのための初期割振り復号時間は、初期割振りから決定され得る。各コードブロックのための初期割振り復号時間は、そのコードブロックのために実行すべき特定の数の復号反復によって与えられ得る。
【０００７】
[0007]複数のトランスポートブロックのうちの１つまたは複数の１つまたは複数のコードブロックが復号され得る。各コードブロックは、そのコードブロックのための初期割振り復号時間内に、または場合によってはより早く復号され得る。１つまたは複数のコードブロックを復号した後に、残りの利用可能な復号時間が決定され得、合計の利用可能な復号時間−すでに復号された１つまたは複数のコードブロックの実際の復号時間に等しくなり得る。未復号コードブロックのための更新された割振り復号時間を取得するために、残りの利用可能な復号時間は、複数のトランスポートブロックの未復号コードブロックに再割り振りされ得る。
【０００８】
[0008]複数のトランスポートブロックは、１つまたは複数の無線アクセス技術を介して１つまたは複数のキャリア上の１つまたは複数の空間チャネルを介して受信され得る。一例では、残りの利用可能な復号時間はトランスポートブロックのコードブロックにわたって再割り振りされ得る。別の例では、残りの利用可能な復号時間は、たとえば、同じキャリアまたは同じ無線アクセス技術上の、トランスポートブロックにわたって再割り振りされ得る。また別の例では、残りの利用可能な復号時間は、たとえば、同じ無線アクセス技術についての、キャリアにわたって再割り振りされ得る。また別の例では、残りの利用可能な復号時間は、無線アクセス技術にわたって再割り振りされ得る。概して、残りの利用可能な復号時間は、任意の数の次元および任意の特定の次元にわたって再割り振りされ得る。
【０００９】
[0009]本開示の様々な態様および特徴が、以下でさらに詳細に説明される。
【図面の簡単な説明】
【００１０】
【図１】[0010]様々なワイヤレス通信システムと通信することが可能なユーザ機器（ＵＥ）を示す図。
【図２】[0011]送信機と受信機との機能ブロック図。
【図３】[0012]送信機におけるターボエンコーダの機能ブロック図。
【図４】[0013]受信機におけるターボデコーダの機能ブロック図。
【図５】[0014]複数の無線アクセス技術を介した複数のキャリア上のコードブロックの例示的な受信を示す図。
【図６】[0015]受信機におけるデータ受信および復号のための例示的なタイムラインを示す図。
【図７】[0016]利用可能な復号時間を再割り振りするためのプロセスを示す図。
【図８】[0017]受信機の利用可能な復号時間を共有することによって復号を実行するためのプロセスを示す図。
【図９】[0018]装置の例示的な実装形態を示す図。
【発明を実施するための形態】
【００１１】
[0019]本明細書で説明される復号技法は、様々なワイヤレス通信システムおよび規格のために使用され得る。「システム」と「ネットワーク」という用語は、しばしば互換的に使用される。たとえば、本技法は、ＣＤＭＡ、ＴＤＭＡ、ＦＤＭＡ、ＯＦＤＭＡ、ＳＣ−ＦＤＭＡ、および他のシステムのために使用され得る。異なるシステムは異なる無線アクセス技術を実装し得る。たとえば、ＣＤＭＡシステムは、ユニバーサル地上波無線アクセス（ＵＴＲＡ：Universal Terrestrial Radio Access）、ｃｄｍａ２０００などの無線アクセス技術を実装し得る。ＵＴＲＡは、広帯域ＣＤＭＡ（ＷＣＤＭＡ（登録商標））、低チップレート（ＬＣＲ：Low Chip Rate）、およびＣＤＭＡの他の変形形態を含む。ｃｄｍａ２０００は、ＩＳ−２０００、ＩＳ−９５およびＩＳ−８５６規格を含む。ＴＤＭＡシステムは、モバイル通信用グローバルシステム（ＧＳＭ（登録商標）：Global System for Mobile Communications）などの無線アクセス技術を実装し得る。ＯＦＤＭＡシステムは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線アクセス技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ（登録商標）：Long Term Evolution）およびＬＴＥアドバンスト（ＬＴＥ−Ａ：LTE-Advanced）は、ダウンリンク上ではＯＦＤＭＡを採用し、アップリンク上ではＳＣ−ＦＤＭＡを採用する、Ｅ−ＵＴＲＡを使用するＵＭＴＳの最近のリリースである。ＵＴＲＡ、Ｅ−ＵＴＲＡ、ＧＳＭ、ＵＭＴＳ、ＬＴＥおよびＬＴＥ−Ａは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスシステムおよび無線アクセス技術、ならびに他のワイヤレスシステムおよび無線アクセス技術のために使用され得る。
【００１２】
[0020]図１は、異なるワイヤレス通信システム１２０および１２２と通信することが可能なＵＥ１１０を示している。ワイヤレスシステム１２０は、ＬＴＥシステム、ＣＤＭＡシステム、ＧＳＭシステム、または何らかの他のワイヤレスシステムであり得る。ワイヤレスシステム１２２は、ＩＥＥＥ８０２．１１、Ｈｉｐｅｒｌａｎなどを実装し得るワイヤレスローカルエリアネットワーク（ＷＬＡＮ）システムであり得る。簡単のために、図１に、１つの基地局１３０と１つのシステムコントローラ１４０とを含むワイヤレスシステム１２０と、１つのアクセスポイント１３２と１つのルータ１４２とを含むワイヤレスシステム１２２とを示している。概して、各ワイヤレスシステムは、任意の数の基地局と、ネットワークエンティティの任意のセットとを含み得る。基地局は、ＵＥと通信するエンティティであり得、ノードＢ、発展型ノードＢ（ｅＮＢ）、アクセスポイントなどと呼ばれることもある。基地局は１つまたは複数(たとえば、３つ)のセルをサポートし得、ただし、「セル」という用語は、基地局のカバレージエリア、および／またはそのカバレージエリアをサービスする基地局サブシステムのカバレージエリアを指すことができる。
【００１３】
[0021]ＵＥ１１０は、固定でも移動でもよく、移動局、端末、アクセス端末、加入者ユニット、局などと呼ばれることもある。ＵＥ１１０は、セルラーフォン、スマートフォン、タブレット、ワイヤレス通信デバイス、携帯情報端末（ＰＤＡ）、ワイヤレスモデム、ハンドヘルドデバイス、ラップトップコンピュータ、スマートブック、ネットブック、コードレスフォン、ワイヤレスローカルループ（ＷＬＬ）局、Ｂｌｕｅｔｏｏｔｈ（登録商標）デバイスなどであり得る。ＵＥ１１０はワイヤレスシステム１２０および／または１２２と通信し得る。ＵＥ１１０はまた、放送局（たとえば、放送局１３４）からの信号、１つまたは複数のグローバルナビゲーション衛星システム（ＧＮＳＳ：global navigation satellite system）中の衛星（たとえば、衛星１５０）からの信号などを受信し得る。ＵＥ１１０は、ＬＴＥ、ＷＣＤＭＡ、ＣＤＭＡ  １Ｘ、ＥＶＤＯ、ＴＤ−ＳＣＤＭＡ、ＧＳＭ、ＩＥＥＥ８０２．１１など、ワイヤレス通信のための１つまたは複数の無線アクセス技術をサポートし得る。
【００１４】
[0022]図２は、送信機２１０と受信機２５０との例示的な機能ブロック図を示している。ダウンリンク上のデータ送信では、送信機２１０は図１中の基地局１３０の一部であり得、受信機２５０はＵＥ１１０の一部であり得る。アップリンク上のデータ送信では、送信機２１０はＵＥ１１０の一部であり得、受信機２５０は基地局１３０の一部であり得る。送信機２１０はＴ個のアンテナを装備し得、受信機２５０はＲ個のアンテナを装備し得、ただし、概してＴ≧１およびＲ≧１である。
【００１５】
[0023]送信機２１０において、エンコーダ２２０は、データソース２１２から送信されるべきデータを受信し得る。エンコーダ２２０は、データを１つまたは複数のトランスポートブロックに区分し得、さらに各トランスポートブロックを１つまたは複数のコードブロックに区分し得る。各トランスポートブロックは、そのトランスポートブロックの各コードブロックのために使用すべき特定のＭＣＳに関連付けられ得る。ＭＣＳは、ＢＰＳＫ、ＱＰＳＫ、１６ＱＡＭ、６４ＱＡＭなど、特定のコードレートおよび特定の変調方式に関連付けられ得る。変調方式は、変調フォーマット、変調次数などと呼ばれることもある。ＭＣＳは、トランスポートフォーマット、パケットフォーマットなどと呼ばれることもある。トランスポートブロックのコードブロックは、（ｉ）同じサイズを有し同じ数の情報／データビットを含むか、または（ｉｉ）異なるサイズを有し異なる数のデータビットを含み得る。各コードブロックは、送信機によって別々に符号化され、受信機によって別々に復号され得る。コードブロックおよびトランスポートブロックは他の用語で呼ばれることもある。たとえば、コードブロックは、データブロック、データパケット、サブパケットなどと呼ばれることもある。
【００１６】
[0024]エンコーダ２２０は、各トランスポートブロックへのサイクリック冗長検査（ＣＲＣ）を生成し、アタッチし得る。各トランスポートブロックのＣＲＣは、そのトランスポートブロックが正しく復号されたのか間違って復号されたのかを決定するために受信機によって使用され得る。エンコーダ２２０は、各トランスポートブロックおよびそれのＣＲＣを１つまたは複数のコードブロックに区分し得る。エンコーダ２２０は、各コードブロックへのＣＲＣを生成し、アタッチし得る。各コードブロックのＣＲＣは、そのコードブロックが正しく復号されたのか間違って復号されたのかを決定するために受信機によって使用され得る。エンコーダ２２０は、当該のコードブロックに適用可能なＭＣＳによって決定されるコーディング方式（たとえば、ターボコード）およびコードレートに基づいて各コードブロックおよびそれのＣＲＣを符号化して、対応する符号化されたブロックを取得し得る。符号化されたブロックは、コードワードなどと呼ばれることもある。エンコーダ２２０は、送信されているすべてのトランスポートブロックについて符号化されたブロックを提供し得る。
【００１７】
[0025]変調器２３０は、エンコーダ２２０からすべてのトランスポートブロックについて符号化されたブロックを受信し得る。変調器２３０は、各符号化されたブロックに適用可能なＭＣＳによって決定される変調方式に基づいて、その符号化されたブロックのための変調シンボルを生成し得る。変調器２３０は、変調シンボルを多入力多出力（ＭＩＭＯ）送信、送信ダイバーシティなどのために空間処理し得る。変調器２３０はさらに、送信機２１０と受信機２５０とによってサポートされる無線アクセス技術によって利用されるＯＦＤＭ、ＳＣ−ＦＤＭＡ、ＣＤＭＡ、および／または他の変調技法に基づいて、変調シンボルをすべてのトランスポートブロックについて処理し得る。変調器２３０は、送信されているすべてのトランスポートブロックを備える出力サンプルを提供し得る。送信（ＴＸ）ユニット２３２は、出力サンプルを調整（たとえば、アナログに変換、増幅、フィルタ処理、およびアップコンバート）して、Ｔ個の被変調信号を取得し得、それらの被変調信号は、送信機２１０におけるＴ個のアンテナを介して送信され得る。
【００１８】
[0026]受信機２５０は、送信機２１０からＴ個の被変調信号を、および場合によっては（図２に示されていない）他の送信機から他の被変調信号を受信し得る。受信機２５０内で、受信（ＲＸ）ユニット２５２は、受信機２５０におけるＲ個のアンテナからＲ個の受信信号を取得し得、これらのＲ個の受信信号を調整（たとえば、フィルタ処理、増幅、ダウンコンバート、およびデジタル化）して、入力サンプルを取得し得る。復調器（Ｄｅｍｏｄ）２６０は、入力サンプルをＯＦＤＭ、ＳＣ−ＦＤＭＡ、ＣＤＭＡおよび／または他の変調技法のために処理して、受信シンボルを取得し得る。復調器２６０はまた、送信機２１０によって実行された空間処理（がもしあればそれ）を補足する処理を実行し得る。復調器２６０はまた、各コードブロックのために使用される変調方式に基づいてそのコードブロックの復調を実行し得、復調データを提供し得る。
【００１９】
[0027]デコーダ２７０は、各コードブロックの復調データを復号して、対応する復号されたブロックを取得し得る。デコーダ２７０は、復号されたブロックが正しく復号されたのか間違って復号されたのかを決定するために、それのＣＲＣに基づいて各復号されたブロックを検査し得る。デコーダ２７０は、各トランスポートブロックについてすべての復号されたブロックを連結し得、トランスポートブロックが正しく復号されたのか間違って復号されたのかを決定するためにそれのＣＲＣに基づいて各復号されたトランスポートブロックを検査し得る。デコーダ２７０は、復号されたトランスポートブロックをデータシンク２７２に提供し得る。デコーダ２７０はまた、各コードブロックおよび／または各トランスポートブロックの復号ステータスを提供し得る。各コードブロックまたはトランスポートブロックの復号ステータスは、コードブロックまたはトランスポートブロックが正しく復号されたのか間違って復号されたのかを示し得る。
【００２０】
[0028]コントローラ／プロセッサ２４０および２８０は、それぞれ送信機２１０および受信機２５０における動作を指示し得る。メモリ２４２および２８２は、それぞれ送信機２１０および受信機２５０のためのデータおよびプログラムコードを記憶し得る。
【００２１】
[0029]図３は、図２中の送信機２１０内のエンコーダ２２０の一例である、ターボエンコーダ２２０ｘの例示的な機能ブロック図を示している。ターボエンコーダ２２０ｘは、２つの構成要素であるエンコーダ３１０および３２０と、インターリーバ３３０とを含む。コードブロックについての（「Ｓ」として示された）情報／データビットはエンコーダ３１０によって符号化されて、（「Ｐ１」として示された）第１のパリティビットが生成される。コードブロックについての情報ビットはまた、インターリーバ３３０によってインターリーブされる。インターリーバ３３０からのインターリーブされた情報ビットはエンコーダ３２０によって符号化されて、（「Ｐ２」として示された）第２のパリティビットが生成される。コードブロックの情報ビットと、第１のパリティビットと、第２のパリティビットとは、（たとえば、レートマッチングのために）さらに処理されて、コードブロックのコードビットが取得され得る。送信機２１０によって送信されるべき各コードブロックについてターボ符号化が実行されて、対応する符号化されたブロックが取得され得る。
【００２２】
[0030]図４は、図２中の受信機２５０内のデコーダ２７０の一例である、ターボデコーダ２７０ｘの例示的な機能ブロック図を示している。ターボデコーダ２７０ｘは、２つの最大事後（ＭＡＰ：maximum a posteriori）デコーダ４１０および４２０と、インターリーバ４３０と、デインターリーバ４４０とを含む。受信機２５０内の復調器２６０は、受信信号を処理し得、各コードブロックについて復調シンボルを取得し得る。復調器２６０は、コードブロックの復調シンボルと、場合によっては雑音および干渉推定値などの他の情報とに基づいて各コードブロックのコードビットについて対数尤度比（ＬＬＲ：log-likelihood ratio）を計算し得る。各コードビットのＬＬＲは、コードビットが「０」または「１」である尤度を示し得る。
【００２３】
[0031]図４に示された例では、デコーダ４１０は、（ＬＬＲ（Ｓ）として示された）情報ビットについてのＬＬＲと、（ＬＬＲ（Ｐ１）として示された）第１のパリティビットについてのＬＬＲと、（第１の反復では０に等しい）デコーダ４１０についての事前ＬＬＲとを受信する。デコーダ４１０は、受信されたＬＬＲを復号し、デコーダ４１０から事後ＬＬＲを提供する。加算器４１２は、デコーダ４１０からの事後ＬＬＲから、デコーダ４１０についての事前ＬＬＲを減算し、その結果はインターリーバ４３０によってインターリーブされて、デコーダ４２０についての事前ＬＬＲが取得される。デコーダ４２０は、情報ビットについてのＬＬＲ（またはＬＬＲ（Ｓ））と、（ＬＬＲ（Ｐ２）として示された）第２のパリティビットについてのＬＬＲと、デコーダ４２０についての事前ＬＬＲとを受信する。デコーダ４２０は、受信されたＬＬＲを復号し、デコーダ４２０から事後ＬＬＲを提供する。加算器４２２は、デコーダ４２０からの事後ＬＬＲから、デコーダ４２０についての事前ＬＬＲを減算し、その結果はデインターリーバ４４０によってデインターリーブされて、デコーダ４１０についての新しい事前ＬＬＲが取得される。
【００２４】
[0032]図４に示されているように、ハーフ復号反復は１つのＭＡＰデコーダ４１０または４２０による復号を含み得る。概して、任意の数のハーフ復号反復が実行され得る。コードブロックのコードビットについてのＬＬＲは、典型的には、各ハーフ復号反復後により信頼できるものになる。すべてのハーフ復号反復が実行された後に、検出器４５０は、デコーダ４２０からの最終ＬＬＲを処理し、コードブロックのためのデコードデータを提供し得る。本明細書の説明では、復号反復は、（たとえば、１つのデコーダ４１０または４２０によって実行される）ハーフ復号反復、あるいは（たとえば、デコーダ４１０とデコーダ４２０の両方によって実行される）フル復号反復を指し得る。
【００２５】
[0033]（たとえば、図４に示されている）反復復号は、（連結／インターリーブされた畳み込みコードとも呼ばれる）ターボコード、低密度パリティチェック（ＬＤＰＣ：low density parity check）コードなど、様々な前方誤り訂正（ＦＥＣ）方式において使用され得る。ターボコードの各構成要素であるコードについて実行される復号反復の数（および同様にＬＤＰＣ復号反復の数）は、たとえば、所与の通信チャネルによってサポートされるデータレートに関して、または等価的に、所与のデータレートのために達成可能なブロックエラーレート（ＢＬＥＲ：block error rate）に関して復号性能に影響を及ぼし得る。
【００２６】
[0034]所与のチャネル状態および受信機設計のためのスループットを改善するために、ＦＥＣ方式はハイブリッド自動再送要求再送信（ＨＡＲＱ）および適応リンク適応と組み合わせられ得る。各コードブロックについて復号反復の数を増加させることは、改善されたスループットを直接もたらし得る。しかしながら、復号反復の数を増加させると、より大きい復号能力が必要になり、またより高いバッテリー電力消費量が生じ得、それらの両方は復号反復の数に比例して増加し得る。さらに、処理要件、ハードウェアコスト、および／またはクロック／電圧要件が復号反復のピーク数によって決定され得、それは、今度は、いくつかのチャネル状態の下で達成可能なスペクトル効率を決定し得る。したがって、反復復号バジェットの慎重な管理は、特に空間、時間、周波数、無線アクセス技術などの様々な次元を介してデータを受信する能力をもつ受信機／ＵＥとって、重要なモデム設計タスクであり得る。
【００２７】
[0035]ＵＥ１１０は、複数のキャリア上での同時動作である、キャリアアグリゲーション（ＣＡ：carrier aggregation）をサポートし得る。キャリアアグリゲーションはマルチキャリア動作と呼ばれることもある。キャリアは、通信のために使用される周波数の範囲を指し得る。たとえば、キャリアは、ＬＴＥでは帯域幅１．４、３、５、１０、１５または２０メガヘルツ（ＭＨｚ）を有し得る。キャリアはまた、そのキャリア上での動作を記述するシステム情報および／または制御情報に関連付けられ得る。キャリアは、コンポーネントキャリア（ＣＣ：component carrier）、周波数チャネル、セルなどと呼ばれることもある。ＵＥ１１０は、ＬＴＥリリース１１では、１つまたは２つの周波数帯域中で最高５つのキャリアで構成され得る。
【００２８】
[0036]ＵＥ１１０は、送信機における複数の送信アンテナから受信機における複数の受信アンテナへの送信である、ＭＩＭＯ送信をサポートし得る。ＭＩＭＯ送信では、複数の送信アンテナから複数の受信アンテナへのＭＩＭＯチャネルの１つまたは複数の空間チャネルまたはレイヤを介してデータが送信され得る。たとえば、ＬＴＥリリース１１では、最高２つのコードブロックのための最高２つのコードワードが最高４つのレイヤを介して同時に送られ得る。
【００２９】
[0037]ＵＥ１１０はまた、多地点協調（ＣｏＭＰ：coordinated multi-point）送信をサポートし得る。ＣｏＭＰ送信では、複数のセルが、少なくとも１つのＵＥからのチャネルフィードバックに基づいて同じ時間周波数リソース上で１つまたは複数のＵＥに１つまたは複数のデータストリームを同時に送り得る。ＣｏＭＰ送信は、複数のセルにおける複数の送信アンテナと、ＵＥにおける複数の受信アンテナとによって提供される追加の空間次元数を活用することによって、スループットを改善し、他の利点を提供し得る。送信に先立って１つまたは複数のデータストリームを空間処理するためにチャネルフィードバックが複数のセルによって使用され得る。ＣｏＭＰ送信は、ジョイント処理または協調ビームフォーミングのいずれかを使用して送られ得る。ジョイント処理の場合、複数のセルが、１つまたは複数のＵＥに異なるデータストリームを同時に送り得、各ＵＥは、そのＵＥに送信されたデータストリームを復元するために受信機空間処理／検出を実行し得る。協調ビームフォーミングの場合、複数のセルは、データ送信がターゲットＵＥのほうへステアリングされ、他のＵＥから離れてステアリングされ、それにより、それらの他のＵＥへの干渉が低減され得るように、ビーム方向および電力密度を選択し得る。
【００３０】
[0038]ＵＥ１１０は、異なる無線アクセス技術の複数のワイヤレスシステムとの同時通信をサポートし得る。たとえば、ＵＥ１１０は、デュアルＳＩＭ／デュアルスタンバイ（ＤＳＤＳ：dual SIM/dual standby）および／またはデュアルＳＩＭ／デュアルアクティブ（ＤＳＤＡ：dual SIM/dual-active）をサポートし得、ＬＴＥおよびＧＳＭシステム、またはＴＤ−ＳＣＤＭＡおよびＧＳＭシステム、またはＣＤＭＡおよびＧＳＭシステムなど、複数のワイヤレスシステムと同時に通信することが可能であり得る。図１では、ＵＥ１１０は、ワイヤレスシステム１２０（たとえば、ＬＴＥシステム）中の基地局１３０およびワイヤレスシステム１２２（たとえば、ＷＬＡＮシステム）中のアクセスポイント１３２と同時に通信し得る。ＵＥ１１０は、所与の時間間隔において各ワイヤレスシステムから任意の数のコードブロックを受信し得る。
【００３１】
[0039]ＵＥ１１０は、所与の時間間隔において１つまたは複数のトランスポートブロック中でいくつかのコードブロックを受信し得る。コードブロックは、１つまたは複数の無線アクセス技術を使用して１つまたは複数のキャリア上の１つまたは複数の空間チャネルを介してＵＥ１１０に送られ得る。ＵＥ１１０は、これらのコードブロックを復号するために利用可能な時間期間内にすべての受信されたコードブロックを復号し得る。
【００３２】
[0040]図５は、複数の無線アクセス技術を介した複数のキャリア上のコードブロックの例示的な受信を示している。ＵＥ１１０は、第１の無線アクセス技術を介してＮ個のキャリア上で、および第２の無線アクセス技術を介して１つのキャリア上でコードブロックを受信し得、ただし、Ｎは１以上であり得る。図５に示された例では、ＵＥ１１０は、第１の無線アクセス技術を介して各キャリア上でＭ個のトランスポートブロックを受信し得、各トランスポートブロックはＬ個のコードブロックを含み、ただし、ＬおよびＭはそれぞれ１以上であり得る。ＵＥ１１０はまた、第２の無線アクセス技術を介してＭ個のトランスポートブロックを受信し得、各トランスポートブロックはＬ個のコードブロックを含む。
【００３３】
[0041]簡潔のために、図５は、ＵＥ１１０が各キャリア上で同じ数（Ｍ）のトランスポートブロックを受信しており、各トランスポートブロックが同じ数（Ｌ）のコードブロックを含むことを示している。概して、ＵＥ１１０は、各無線アクセス技術を介して各キャリア上で任意の数のトランスポートブロックを受信し得、各トランスポートブロックは任意の数のコードブロックを含み得る。
【００３４】
[0042]概して、複数のトランスポートブロックが、所与の時間間隔（たとえば、サブフレーム）で受信され得、以下のうちの１つまたは複数を含み得る。
・  異なる無線ネットワーク一時識別子（ＲＮＴＩ：Radio Network Temporary Identifier）とともに送られる複数のトランスポートブロック、
・  ＭＩＭＯを用いて送られる複数（たとえば、２〜８個）のトランスポートブロック、
・  キャリアアグリゲーションを用いて送られる複数のトランスポートブロック、ただし、トランスポートブロックは、ＭＩＭＯを用いてまたは用いずに各キャリア上で送られ得る、および
・  異なる無線アクセス技術の異なるワイヤレスシステムによって送られる複数のトランスポートブロック
[0043]ＵＥ１１０は、セルＲＮＴＩ（Ｃ−ＲＮＴＩ：Cell RNTI）とともに物理ダウンリンク共有チャネル（ＰＤＳＣＨ）上で送られた１つまたは複数のユニキャストトランスポートブロック、ページングＲＮＴＩ（Ｐ−ＲＮＴＩ：Paging RNTI）とともに送られたページングトランスポートブロック、システム情報ＲＮＴＩ（ＳＩ−ＲＮＴＩ：System Information RNTI）とともに送られたシステム情報を搬送する１つまたは複数のトランスポートブロックなどを受信し得る。ＵＥ１１０は、異なるキャリア上で異なる数のトランスポートブロックを受信し得る。たとえば、ＵＥ１１０は、３つのキャリア上で１０個のトランスポートブロックを受信し得る。２つのトランスポートブロックは２つのキャリアの各々上でＭＩＭＯを用いて送られ得、４つのトランスポートブロックは第３のキャリア上でＭＩＭＯを用いて送られ得、１つのトランスポートブロックはＳＩ−ＲＮＴＩとともに送られ得、あるトランスポートブロックはＰ−ＲＮＴＩとともに送られ得る。別の例として、ＵＥ１１０は、２つのキャリア上で４つのトランスポートブロックを受信し得る。１つのトランスポートブロックは１次コンポーネントキャリア（ＰＣＣ）上でＭＩＭＯを用いずに送られ得、２つのトランスポートブロックは２次コンポーネントキャリア（ＳＣＣ）上でＭＩＭＯを用いて送られ得、１つのトランスポートブロックはＳＩ−ＲＮＴＩとともにＰＣＣ上で送られ得る。各トランスポートブロックは、トランスポートブロックごとに、異なるトランスポートブロックサイズと、場合によっては異なる数のコードブロックとを有し得る。
【００３５】
[0044]図６は、ＵＥ１１０におけるデータ受信および復号のための例示的なタイムラインを示している。送信タイムラインはサブフレームのユニットに区分され得、各サブフレームは所定の持続時間、たとえば、１ミリ秒（ｍｓ）を有する。ＵＥ１１０は、サブフレームｔ中でＫ個の無線アクセス技術を介してＮ個のキャリア上で１つまたは複数のトランスポートブロック中のいくつかのコードブロックを受信し得、ただし、ＮおよびＫはそれぞれ１以上であり得る。ＵＥ１１０は、時間Ｔ1において、サブフレームｔにおけるコードブロックの受信を終了し得、時間Ｔ2において、受信されたコードブロックを復号することを開始し得る。ＵＥ１１０は、時間Ｔ3までに、サブフレームｔ中で受信されたコードブロックのすべてを復号することを完了する必要があり得る。ＵＥ１１０は、時間Ｔ3において、次のサブフレームｔ＋１中で受信されたコードブロックを復号することを開始し得る。時間Ｔ2から時間Ｔ3までの持続時間は、サブフレームｔ中で受信されたコードブロックのためのＵＥ１１０の利用可能な復号時間と呼ばれることがある。コードブロックの１つのサブフレームのための利用可能な復号時間は、ＵＥ１１０がサブフレームにわたってデータを受信することを可能にするために、１つのサブフレームに等しいかまたはそれよりも短くなり得る。
【００３６】
[0045]ＵＥ１１０は、ＵＥ１１０が遭遇し得るワーストケース動作条件に対する十分な復号能力を伴って設計され得る。ワーストケース動作条件は、ＵＥ１１０によってサポートされるすべてのキャリアとすべての無線アクセス技術とのための最高データレートにおける最高数のコードブロックに対応し得る。たとえば、ＵＥ１１０は、サブフレーム内で最高Ｐ個の最大サイズのコードブロックを受信し、サブフレーム内で各コードブロックについてＱ個の復号反復を、すなわち合計Ｐ＊Ｑ個の復号反復を実行するように設計され得る。ワーストケース動作条件に対してＵＥ１１０を設計すると、（ｉ）ＵＥ１１０のために必要とされる復号能力がよりはるかに大きくなり、コストがはるかに高くなること、または（ｉｉ）ＵＥの所与の復号能力のためにＵＥ１１０によってサポートされるコードブロックがより少数になり、ピークデータレートがより低くなることがもたらされ得る。
【００３７】
[0046]本開示の一態様では、受信機（たとえば、ＵＥ１１０）の利用可能な復号時間がコードブロックに割り振られ、トランスポートブロック、またはキャリア、または無線アクセス技術、または何らかの他の次元、またはそれらの組合せにわたって共有され得る。利用可能な復号時間の共有は、受信機の所与の復号能力の復号性能を改善し得る。利用可能な復号時間の共有により、受信機は、（ｉ）必要とされる復号能力がより小さいワーストケース動作条件をサポートすることと、（ｉｉ）他の動作条件の下でより良い性能を提供することとが可能になり得る。
【００３８】
[0047]受信機（たとえば、ＵＥ１１０）の利用可能な復号時間は、以下のように割り振られ、再割り振りされ得る。
１．初めに、トランスポートブロックのコードブロックに合計の利用可能な復号時間を割り振り、
２．１つまたは複数のコードブロックを復号し、
３．それらのコードブロックを復号した後の残りの利用可能な復号時間を決定し、
４．未復号コードブロックに残りの利用可能な復号時間を再割り振りする。
【００３９】
[0048]上記のステップ１について、コードブロックは、初めに、以下のうちの１つまたは複数を含み得る１つまたは複数のファクタに基づいていくつかの復号時間を割り振られ得る。
Ａ．  復号すべきコードブロックの数対合計の利用可能な復号時間、
Ｂ．  測定されたチャネル状態対予想されるチャネル状態、
Ｃ．  前のコードブロックの復号性能、および
Ｄ．  他のファクタ
[0049]ファクタＡについて、各コードブロックの初期割振り復号時間は、復号すべきコードブロックの数と、ＵＥ１１０の合計の利用可能な復号時間とに依存し得る。各コードブロックは、復号すべきコードブロックがより少ない場合および／または合計の利用可能な復号時間がより長い場合、より大きい初期割振り復号時間を有し得る。
【００４０】
[0050]ファクタＢについて、各コードブロックの初期割振り復号時間は、コードブロックについての測定されたチャネル状態と予想されるチャネル状態とに依存し得る。コードブロックは、ＵＥ１１０における受信信号品質に基づいて選択され得る特定のＭＣＳに基づいて符号化され、変調され得る。信号品質は、信号対雑音比（ＳＮＲ）、信号対雑音干渉比（ＳＩＮＲ）、キャリア対雑音干渉比（ＣＩＮＲ）などによって定量化され得る。明快のために、本明細書の説明の大部分では信号品質のためにＳＩＮＲが使用される。選択されたＭＣＳは、コードブロックの信頼できる復号についての特定のしきい値ＳＩＮＲに関連付けられ得る。コードブロックによって観測される実際のチャネル状態は、選択されたＭＣＳに関連付けられた予想されるチャネル状態よりも良いことも悪いこともあり得る。したがって、コードブロックの受信ＳＩＮＲは、コードブロックについてのしきい値ＳＩＮＲよりも良いことも悪いこともあり得る。コードブロックのための復号反復の数は、受信ＳＩＮＲとしきい値ＳＩＮＲとの間の差に依存し得る。特に、受信ＳＩＮＲがしきい値ＳＩＮＲよりも良いとき、より少数の復号反復（したがってより短い復号時間）がコードブロックに割り振られ得、その逆も同様である。
【００４１】
[0051]ファクタＣについて、同じリソース（たとえば、同じキャリア、または同じ空間チャネルもしくはアンテナ、または同じ無線アクセス技術）上で前に送られたコードブロックのために実行される復号反復の数は、同じリソース上で受信される新しいコードブロックのための復号反復の数を決定するために使用され得る。ワイヤレスチャネルは、静的であるかまたは緩やかに変動していると仮定され得る。その場合、新しいコードブロックは、前に復号されたコードブロックと同数の復号反復で正しく復号され得ると仮定され得る。一例では、トランスポートブロックのコードブロックに割り振られる復号反復の数は、そのトランスポートブロックの１つまたは複数の前に復号されたコードブロックのために実行される復号反復の実際の数に基づいて決定され得る。別の例では、トランスポートブロックのコードブロックに割り振られる復号反復の数は、すでに復号された１つまたは複数の他のトランスポートブロックの１つまたは複数のコードブロックのために実行される復号反復の実際の数に基づいて決定され得る。
【００４２】
[0052]明快のために、複数のトランスポートブロックの複数のコードブロックへの利用可能な復号時間の割振りについて、特定の一例に関して以下で説明される。この例では、ＵＥ１１０は、１つのサブフレーム中で１つの無線アクセス技術を介してＮ個のキャリア上で複数のコードブロックを受信する。サブフレーム中で復号されるべきデータビットの総数は以下のように表され得る。
【００４３】
【数１】
2017050876.tif 000003
【００４４】
ただし、Ｍnは、ｎ番目のキャリア上のトランスポートブロック数であり、
Ｌm,nは、ｎ番目のキャリア上のｍ番目のトランスポートブロックであるトランスポートブロック（ｍ，ｎ）のコードブロックの数であり、
Ｂl,m,nは、第ｎのキャリア上のｍ番目のトランスポートブロックのｌ番目のコードブロックであるコードブロック（ｌ，ｍ，ｎ）中のデータビットの数であり、
Ｂtotalは、Ｎ個のキャリア上で送られるすべてのコードブロックのためのデータビットの総数である。
【００４５】
[0053]Ｂ個のデータビットのコードブロックについての予想される復号時間は以下のように表され得る。
【００４６】
【数２】
2017050876.tif 000004
【００４７】
ただし、ＮＵＭdecは、コードブロックのための復号反復の数であり、
ＯＨOTは、コードブロックを復号するためのワンタイムオーバーヘッド時間であり、
ＯＨdecは、各復号反復のためのオーバーヘッド時間であり、
Ｔdec（Ｂ）は、コードブロックの１つの復号反復のための復号時間であり、
Ｔdec（ＮＵＭdec，Ｂ）は、コードブロックのための復号時間である。
【００４８】
[0054]トランスポートブロックについての予想される復号時間は以下のように表され得る。
【００４９】
【数３】
2017050876.tif 000005
【００５０】
ただし、ＮＵＭl,m,nは、コードブロック（ｌ，ｍ，ｎ）のための復号反復の数であり、
Ｔm,nは、トランスポートブロック（ｍ，ｎ）のための予想される復号時間である。
【００５１】
[0055]復号反復の初期数は、以下のように、すべてのコードブロックのための合計の復号時間が合計の利用可能な復号時間よりも小さくなるように、各コードブロックに割り振られ得る。
【００５２】
【数４】
2017050876.tif 000006
【００５３】
ただし、ＮＵＭinitは、初期に各コードブロックに割り振られる復号反復の数であり、
Ｔinitは、初期にすべてのトランスポートブロックのすべてのコードブロックに割り振られる合計の復号時間であり、
Ｔtotalは、ＵＥ１１０の合計の利用可能な復号時間である。
【００５４】
[0056]式（４）は、ＵＥ１１０の合計の利用可能な復号時間が、１つの無線アクセス技術を介して受信されるコードブロックに割り振られると仮定する。ＮＵＭinitは、すべてのコードブロックのための合計の復号時間が合計の利用可能な復号時間よりも小さくなるように、各コードブロックについての復号反復の最大数であり得る。式（４）は、ＮＵＭinitの同じ初期数の復号反復がすべてのコードブロックに割り振られると仮定する。
【００５５】
[0057]また、異なる初期数の復号反復が異なるコードブロックに割り振られ得る。一例では、ＮＵＭinitのより小さい値が、より大きいトランスポートブロックまたはより大きいコードブロックのために選択され得、その逆も同様である。別の例では、ＮＵＭinitのより小さい値が、（コードブロックのためのＭＣＳにおいて反映され得る）予想されるチャネル状態よりも良好な（測定または推定され得る）チャネル状態を観測しているコードブロックのために選択され得る。また別の例では、合計の利用可能な復号時間がキャリア上のすべてのトランスポートブロックに均等に割り振られ得、ＮＵＭinitは、各トランスポートブロックの各コードブロックについて、そのトランスポートブロックに割り振られた復号時間に基づいて決定され得る。
【００５６】
[0058]ＵＥ１１０の合計の利用可能な復号時間は、ＵＥ１１０において利用可能なデコーダの数に依存し得る。たとえば、ＵＥ１１０は、コードブロックを復号するために利用可能なＳ個のデコーダを有し得、合計の利用可能な復号時間は各１ｍｓサブフレーム中にＳｍｓであり得、ただし、Ｓは１以上であり得る。サブフレーム中の合計の利用可能な復号時間は、そのサブフレーム中で受信されるコードブロックに割り振られ得る合計の利用可能な数の復号反復と同等とされ得る。各コードブロックは、たとえば、トランスポートブロックサイズ、コードブロックによって観測されるチャネル状態、前の復号性能などに基づいて、特定の数の復号反復を割り振られ得る。
【００５７】
[0059]各コードブロックと、各トランスポートブロックと、各キャリアとのための初期割振り復号時間は以下のように表され得る。
【００５８】
【数５】
2017050876.tif 000007
【００５９】
【数６】
2017050876.tif 000008
【００６０】
【数７】
2017050876.tif 000009
【００６１】
ただし、Ｔinit,l.m.nは、コードブロック（ｌ，ｍ，ｎ）のための初期割振り復号時間であり、
Ｔinit,m,nは、トランスポートブロック（ｍ，ｎ）のための初期割振り復号時間であり、
Ｔinit,nは、ｎ番目のキャリアのための初期割振り復号時間である。
【００６２】
[0060]ＵＥ１１０は、各コードブロックのための初期数の復号反復内で１つまたは複数のコードブロックを復号し得る。ＵＥ１１０は、ＮＵＭinit個未満の復号反復中に所与のコードブロック（ｌ，ｍ，ｎ）を正常に復号し得る。ＵＥ１１０は、コードブロック（ｌ，ｍ，ｎ）のための初期割振り復号時間と実際の復号時間との間の差であり得る、コードブロック（ｌ，ｍ，ｎ）のために残った復号時間を有し得る。コードブロック（ｌ，ｍ，ｎ）のための残った復号時間は、他のコードブロックのための復号反復の数を増加させるために他のコードブロックに再割り振りされ得る。
【００６３】
[0061]第１の方式では、復号時間は、同じトランスポートブロックのコードブロックにわたって再割り振りされ得る。この方式では、１つまたは複数のコードブロックの残った復号時間は、同じトランスポートブロックの残りの未復号コードブロックに再割り振りされ得る。所与のトランスポートブロック（ｍ，ｎ）は、式（６）に示されているように、初めに特定の復号時間を割り振られ得る。トランスポートブロック（ｍ，ｎ）の最初のｊ個のコードブロックのための実際の復号時間が決定され得、ただし、ｊは、１以上の任意の整数値であり得る。一例では、実際の復号時間は、直接測定され得、インターリーバ、デインターリーバなど、他のハードウェアブロックのための処理時間を含み得る。別の例では、実際の復号時間は、以下のように、各コードブロックのために実行される復号反復の実際の数に基づいて推定され得る。
【００６４】
【数８】
2017050876.tif 000010
【００６５】
ただし、ＮＵＭactual,l,m,nは、コードブロック（ｌ，ｍ，ｎ）のために実行される復号反復の実際の数であり、
【００６６】
【数９】
2017050876.tif 000011
【００６７】
は、トランスポートブロック（ｍ，ｎ）の最初のｊ個のコードブロックのための実際の復号時間である。
【００６８】
[0062]トランスポートブロック（ｍ，ｎ）のための残りの利用可能な復号時間は、トランスポートブロック（ｍ，ｎ）のための初期割振り復号時間Ｔinit,m,nと、トランスポートブロック（ｍ，ｎ）の最初のｊ個のコードブロックのための実際の復号時間とに基づいて決定され得る。トランスポートブロック（ｍ，ｎ）のための残りの利用可能な復号時間は、トランスポートブロック（ｍ，ｎ）の残りのコードブロックに再割り振りされ得る。一例では、更新された数の復号反復が、以下のようにトランスポートブロック（ｍ，ｎ）の各残りのコードブロックに割り振られ得る。
【００６９】
【数１０】
2017050876.tif 000012
【００７０】
ただし、
【００７１】
【数１１】
2017050876.tif 000013
【００７２】
は、トランスポートブロック（ｍ，ｎ）のための残りの利用可能な復号時間であり、
ＮＵＭupdatedは、トランスポートブロック（ｍ，ｎ）の各残りのコードブロックのための復号反復の更新された数である。
【００７３】
[0063]式（９）において、ＮＵＭupdatedは、トランスポートブロック（ｍ，ｎ）のすべての残りのコードブロックのための合計の復号時間がトランスポートブロック（ｍ，ｎ）のための残りの利用可能な復号時間よりも小さくなるように、トランスポートブロック（ｍ，ｎ）の各残りのコードブロックのための復号反復の最大数であり得る。
【００７４】
[0064]第１の方式では、トランスポートブロックのための残りの利用可能な復号時間は、そのトランスポートブロックの残りのコードブロックに再割り振りされ得る。再割振りは、各コードブロックが復号された後に、または２つもしくは３つのコードブロックが復号されたごとに、または残った復号時間があるしきい値を超えたときはいつでも、または他のトリガ条件に基づいて実行され得る。当該のコードブロックの割振り復号時間よりも早く復号された各コードブロックは、後で復号される１つまたは複数の残りのコードブロックのために再割り振りされ使用され得る何らかの残った復号時間（またはいくつかの残った復号反復）を生じ得る。トランスポートブロックのすべてのコードブロックのための合計の復号時間は、トランスポートブロックのための割振り復号時間に制限され得る。トランスポートブロックのすべてのコードブロックが復号された後のいかなる残った復号時間も、以下で説明されるように、他のトランスポートブロックに再割り振りされ得る。
【００７５】
[0065]第２の方式では、復号時間は、同じキャリア上のトランスポートブロックにわたって再割り振りされ得る。この方式では、トランスポートブロックの残った復号時間は、同じキャリア上の残りのトランスポートブロックに再割り振りされ得る。各キャリアは、たとえば、式（７）に示されているように、初めに特定の復号時間を割り振られ得る。ｎ番目のキャリア上の最初のｊ個のトランスポートブロックのための実際の復号時間が決定され得、ただし、ｊは、１以上の任意の整数値であり得る。一例では、実際の復号時間は直接測定され得る。別の例では、実際の復号時間は、各復号されたコードブロックのために実行される復号反復の実際の数に基づいて推定され得る。
【００７６】
[0066]ｎ番目のキャリアのための残りの利用可能な復号時間は、ｎ番目のキャリアのためのＴinit,nの初期割振り復号時間と、ｎ番目のキャリア上の最初のｊ個のトランスポートブロックのための
【００７７】
【数１２】
2017050876.tif 000014
【００７８】
の実際の復号時間とに基づいて決定され得る。ｎ番目のキャリアのための残りの利用可能な復号時間は、ｎ番目のキャリア上の残りのコードブロックに再割り振りされ得る。一例では、更新された数の復号反復が、以下のようにｎ番目のキャリア上の各残りのコードブロックに割り振られ得る。
【００７９】
【数１３】
2017050876.tif 000015
【００８０】
ただし、
【００８１】
【数１４】
2017050876.tif 000016
【００８２】
は、ｎ番目のキャリアのための残りの利用可能な復号時間であり、
ＮＵＭupdatedは、ｎ番目のキャリア上の各残りのコードブロックのための復号反復の更新された数である。
【００８３】
[0067]式（１０）において、ＮＵＭupdatedは、ｎ番目のキャリア上のすべての残りのコードブロックのための合計の復号時間がｎ番目のキャリアのための残りの利用可能な復号時間よりも小さくなるように、ｎ番目のキャリア上の各残りのコードブロックのための復号反復の最大数であり得る。
【００８４】
[0068]第２の方式では、キャリアのための残りの利用可能な復号時間は、各トランスポートブロックが復号された後に、たとえば、第１のトランスポートブロックが復号された後に、次いで、第２のトランスポートブロックが復号された後になど、そのキャリア上の残りのコードブロックに再割り振りされ得る。再割振りはまた、残った復号時間があるしきい値を超えたときはいつでも、または他のトリガ条件に基づいて実行され得る。キャリア上のすべてのコードブロックのための合計の復号時間は、キャリアのための割振り復号時間に制限され得る。キャリア上のすべてのコードブロックが復号された後のいかなる残った復号時間も、以下で説明されるように、他のキャリアに再割り振りされ得る。
【００８５】
[0069]第３の方式では、復号時間はキャリアにわたって再割り振りされ得る。この方式では、キャリアの残った復号時間は、残りのキャリア上のコードブロックに再割り振りされ得る。各キャリアは、たとえば、式（７）に示されているように、初めに特定の復号時間を割り振られ得る。最初のｊ個のキャリアのための実際の復号時間が決定され得、ただし、ｊは、１以上の整数値であり得る。
【００８６】
[0070]ｊ個のキャリアが復号された後の残りの利用可能な復号時間は、合計の利用可能な復号時間Ｔtotalと、最初のｊ個のキャリアのための
【００８７】
【数１５】
2017050876.tif 000017
【００８８】
の実際の復号時間とに基づいて決定され得る。残りの利用可能な復号時間は、残りのキャリア上のコードブロックに再割り振りされ得る。一例では、更新された数の復号反復が、以下のように残りのキャリア上の各コードブロックに割り振られ得る。
【００８９】
【数１６】
2017050876.tif 000018
【００９０】
ただし、
【００９１】
【数１７】
2017050876.tif 000019
【００９２】
は、残りの利用可能な復号時間であり、
ＮＵＭupdatedは、残りのキャリア上の各コードブロックのための復号反復の更新された数である。
【００９３】
[0071]式（１１）において、ＮＵＭupdatedは、すべての残りのキャリア上のすべてのコードブロックのための合計の復号時間が、最初のｊ個のキャリアを復号した後の残りの利用可能な復号時間よりも小さくなるように、残りのキャリア上の各コードブロックのための復号反復の最大数であり得る。
【００９４】
[0072]第３の方式では、残りの利用可能な復号時間は、各キャリアが復号された後に、たとえば、第１のキャリアが復号された後に、次いで、第２のキャリアが復号された後になど、残りのキャリア上の残りのコードブロックに再割り振りされ得る。再割振りはまた、残った復号時間があるしきい値を超えたときはいつでも、または他のトリガ条件に基づいて実行され得る。キャリア上のすべてのコードブロックのための合計の復号時間は、そのキャリアのための割振り復号時間に制限され得る。キャリア上のすべてのコードブロックが復号された後のいかなる残った復号時間も、以下で説明されるように、他のキャリアに再割り振りされ得る。
【００９５】
[0073]上記で説明された第１の方式と、第２の方式と、第３の方式とのいずれかの１つまたは任意の組合せが実装され得る。たとえば、利用可能な復号時間は、第１のトランスポートブロックのコードブロックにわたって再割り振りされ得る。第１のトランスポートブロックのすべてのコードブロックが復号されると、残りの利用可能な復号時間が決定され、第１のキャリアの残りのトランスポートブロックにわたって再割り振りされ得る。第１のキャリアのすべてのトランスポートブロックが復号されると、残りの利用可能な復号時間が決定され、残りのキャリアにわたって再割り振りされ得る。利用可能な復号時間は他の様式でも再割り振りされ得る。
【００９６】
[0074]上記の説明は、コードブロックが１つの無線アクセス技術を介してＮ個のキャリア上で受信されると仮定している。この場合、ＵＥ１１０の合計の利用可能な復号時間（または利用可能な復号リソース）は、この無線アクセス技術を介して受信されるコードブロックに割り振られ得る。
【００９７】
[0075]ＵＥ１１０は、たとえば、ＬＴＥおよびＨＳＰＡ、またはＬＴＥおよびＩＥＥＥ８０２．１１、または無線アクセス技術の何らかの他の組合せなど、複数の無線アクセス技術を介してコードブロックを受信し得る。この場合、ＵＥ１１０の合計の利用可能な復号時間は、初めにこれらの複数の無線アクセス技術に割り振られ得る。各無線アクセス技術のための割振り復号時間は、上記で説明されたように、その無線アクセス技術上で、同じトランスポートブロックのコードブロックにわたって、または同じキャリアのトランスポートブロックにわたって、またはキャリアにわたって、またはそれらの組合せにわたって割り振られ得る。所与の無線アクセス技術のためのいかなる残った復号時間も、別の無線アクセス技術上のコードブロックに再割り振りされ得る。
【００９８】
[0076]概して、ＵＥ１１０の残りの利用可能な復号時間は以下のように再割り振りされ得る。
・  同じトランスポートブロックのコードブロックにわたって、
・  同じキャリアのトランスポートブロックにわたって、
・  同じ無線アクセス技術のキャリアにわたって、および／または
・  無線アクセス技術にわたって
[0077]ＵＥ１１０の合計の利用可能な復号時間は、初めに、所与の時間間隔において復号されるべきすべてのコードブロックに割り振られ得る。所与の時間間隔中の任意の時点において、この時点より前に復号されたすべてのコードブロックの実際の復号時間の測定値または推定値に基づいて再割振りが実行され得る。各コードブロックは、（ｉ）割振りまたは再割振りの時間における残りの利用可能な復号時間と、（ｉｉ）復号されるべきコードブロックの数などの他のファクタとに基づいて特定の復号時間を割り振られるかまたは再割り振りされ得る。各コードブロックは、少なくとも、ある最小復号時間またはある最小数の復号反復を割り振られるかまたは再割り振りされ得る。最小復号時間または最小数の復号反復は、様々な制約および／または復号タイムライン考慮事項に基づいて定義され得る。
【００９９】
[0078]図７は、利用可能な復号時間を再割り振りするための例示的なプロセス７００を示している。プロセス７００は、ＵＥ１１０または何らかの他のエンティティによって実行され得る。プロセス７００は、上記で説明された第１、第２および第３の方式を実装し、同じトランスポートブロックのコードブロックにわたって、同じキャリアのトランスポートブロックにわたって、同じ無線アクセス技術のキャリアにわたって、および無線アクセス技術にわたって、利用可能な復号時間を割り振る。
【０１００】
[0079]少なくとも１つの無線アクセス技術を介して少なくとも１つのキャリア上で受信されるべき複数のトランスポートブロックの複数のコードブロックを決定し得る（ブロック７１２）。ＵＥ１１０の合計の利用可能な復号時間、復号すべきコードブロックの数、および／または他のファクタに基づいて、複数のコードブロックの各々のための初期割振り復号時間を決定し得る（ブロック７１４）。
【０１０１】
[0080]無線アクセス技術のキャリア上のトランスポートブロックの１つまたは複数のコードブロックを復号し得る（ブロック７１６）。復号時間とバッテリー電力とを節約するために、コードブロックの復号は、可能な場合、早く終了し得る。ある数の復号反復が、コードブロックに割り振られ得、そのコードブロックのために実行され得る最大数の復号反復を表し得る。１つまたは複数の終了条件がトリガされた場合、コードブロックの復号は最大数の復号反復よりも早く終了し得る。たとえば、コードブロックの復号は、それのＣＲＣに合格したとき、またはそれのＬＬＲ値が最小ＬＬＲ値よりも低いときなどに終了し得る。コードブロックを正常に復号するために必要とされる復号反復の数は、コードブロックによって観測される実際のチャネル状態（または受信ＳＩＮＲ）に依存し得る。
【０１０２】
[0081]トランスポートブロックのすべてのコードブロックが復号されたかどうかの決定が行われ得る（ブロック７２２）。答えが「Ｎｏ」である場合、トランスポートブロックのための残りの利用可能な復号時間を決定し、トランスポートブロックの残りのコードブロックに再割り振りし得る（ブロック７２４）。プロセスは、次いでブロック７１６に戻って、トランスポートブロックの１つまたは複数の残りのコードブロックを復号し得る。
【０１０３】
[0082]ブロック７２２の答えが「Ｙｅｓ」であり、トランスポートブロックのすべてのコードブロックが復号されている場合、キャリア上のすべてのトランスポートブロックが復号されたかどうかの決定が行われ得る（ブロック７３２）。答えが「Ｎｏ」である場合、キャリアのための残りの利用可能な復号時間を決定し、キャリア上の残りのトランスポートブロックに再割り振りし得る（ブロック７３４）。プロセスは、次いでブロック７１６に戻って、次のトランスポートブロックの１つまたは複数のコードブロックを復号し得る。
【０１０４】
[0083]ブロック７３２の答えが「Ｙｅｓ」であり、キャリアのすべてのトランスポートブロックが復号されている場合、無線アクセス技術上のすべてのキャリアが復号されたかどうかの決定が行われ得る（ブロック７４２）。答えが「Ｎｏ」である場合、無線アクセス技術のための残りの利用可能な復号時間を決定し、無線アクセス技術上の残りのキャリアに再割り振りし得る（ブロック７４４）。プロセスは、次いでブロック７１６に戻って、次のキャリア上のトランスポートブロックの１つまたは複数のコードブロックを復号し得る。
【０１０５】
[0084]ブロック７４２の答えが「Ｙｅｓ」であり、無線アクセス技術のすべてのキャリアが復号されている場合、すべての無線アクセス技術上のすべてのコードブロックが復号されたかどうかの決定が行われ得る（ブロック７５２）。答えが「Ｎｏ」である場合、残りの利用可能な復号時間を決定し、次の無線アクセス技術上のコードブロックに再割り振りし得る（ブロック７５４）。プロセスは、次いでブロック７１６に戻って、次の無線アクセス技術のキャリア上のトランスポートブロックの１つまたは複数のコードブロックを復号し得る。
【０１０６】
[0085]図７の例示的なプロセスは、デコーダが複数の無線アクセス技術によって共有されることを可能にし得る。これにより、少なくとも１つのデコーダを各無線アクセス技術のために専用化する必要が回避され得る。たとえば、Ｔμｓの期間中に、デコーダは、１つの無線アクセス技術（たとえば、ＬＴＥ）のＵ個のコードブロックと別の無線アクセス技術（たとえば、ＵＭＴＳ）のＶ個のコードブロックとを処理し得る。各コードブロックのための復号反復の数は、デコーダの利用可能な復号時間に基づいて決定され得る。
【０１０７】
[0086]本開示の別の態様では、コードブロックに割り振るべき復号反復の数は、チャネル状態に基づいて決定され得る。コードブロックは、そのコードブロックがそれを介して送信されるワイヤレスチャネルのスペクトル効率Ｒに基づいて選択され得る特定のＭＣＳに基づいて符号化され得、変調され得る。ＭＣＳは、特定のコードレートと特定の変調方式とに関連付けられ得る。スペクトル効率は、コードブロックによって観測されるＳＩＮＲに依存し得る。コードブロックに割り振るべき復号反復数は、（ＭＣＳにおいて反映され得る）予想されるチャネル状態と、（受信機によって測定または推定され得る）実際のチャネル状態とに基づいて決定され得る。
【０１０８】
[0087]コードブロックのブロックエラーレート（ＢＬＥＲ）は、様々なファクタ、コードブロックのために選択されたそのようなＭＣＳ、コードブロックの受信ＳＩＮＲなどに依存し得る。ＭＣＳは、（たとえば、１％のＢＬＥＲをもつ）コードブロックの信頼できる復号のために加法性ガウス型白色雑音（ＡＷＧＮ：additive Gaussian white noise）チャネルにおける特定のしきい値ＳＩＮＲに関連付けられ得る。しきい値ＳＩＮＲは所要ＳＩＮＲと呼ばれることもある。コードブロックの受信ＳＩＮＲは、コードブロックによって観測される実際のチャネル状態に依存し得る。受信機において容易に入手であり、デコーダに提供されるＬＬＲの重み付けなどの様々な処理ステップのために使用され得る、測定されたチャネルおよび干渉状態に基づいて、コードブロックの受信ＳＩＮＲは決定され得る。
【０１０９】
[0088]ＡＷＧＮチャネルと、十分に大きいサイズ（たとえば、数千ビット）のコードブロックとでは、ＢＬＥＲは、しきい値ＳＩＮＲ値の近くでウォータフォール挙動に従い得る。特に、ＢＬＥＲは、しきい値ＳＩＮＲ値を下回る受信ＳＩＮＲ値について１００％に近くなり得、ＳＩＮＲがしきい値ＳＩＮＲ値を超えるときに急速に低レベルに（たとえば、１０％から１％に、次いで０．１％に）遷移し得る。ＢＬＥＲの急速遷移は、受信ＳＩＮＲ値の小さい範囲内で、たとえば、レスゼン（less then）１デシベル（ｄＢ）の範囲内で発生し得る。実行すべき復号反復の数は、ウォータフォール領域においてより重要であり得る。たとえば、しきい値ＳＩＮＲ値の近くで（たとえば、ＢＬＥＲを最小限に抑えるために）最高性能利得を得るためには、約１７個のハーフ復号反復が必要とされ得る。ハーフ復号反復の必要とされる数は、受信ＳＩＮＲが増加するとともに急速に低下し得る。たとえば、受信ＳＩＮＲがしきい値ＳＩＮＲ値よりも約１ｄＢ高いときは、３〜５つのハーフ復号反復で十分であり得る。この観測値は、性能を改善するために活用され得る。
【０１１０】
[0089]一例では、ルックアップテーブルが、コードブロックの信頼できる復号のための復号反復の数への、ＭＣＳと受信ＳＩＮＲのペア（または｛ＭＣＳ，ＳＩＮＲ｝ペア）のマッピングを記憶し得る。ルックアップテーブルは、（ｉ）コードブロックのために選択されたＭＣＳを表す第１の軸と、（ｉｉ）コードブロックの受信ＳＩＮＲを表す第２の軸とを有する２次元（２Ｄ）テーブルであり得る。ルックアップテーブル中の各｛ＭＣＳ，ＳＩＮＲ｝ロケーションは、信頼できる復号のための復号反復の数を記憶し得る。コードブロックに割り振るべき復号反復の数を取得するために、コードブロックのＭＣＳと受信ＳＩＮＲとが決定され、ルックアップテーブルにアクセスするために使用され得る。
【０１１１】
[0090]別の例では、コードブロックに割り振るべき復号反復の数は、ＳＩＮＲ差と呼ばれることがある、測定されたＳＩＮＲとしきい値ＳＩＮＲとの間の差に基づいて決定され得る。しきい値ＳＩＮＲは、ＭＣＳに基づく決定であり得る。１次元（１Ｄ）テーブルが、信頼できる復号のための復号反復の数対ＳＩＮＲ差を記憶し得る。コードブロックに割り振るべき復号反復の数を取得するために、コードブロックの受信ＳＩＮＲとしきい値ＳＩＮＲとの間の差が決定され、ルックアップテーブルにアクセスするために使用され得る。
【０１１２】
[0091]また別の例では、利用可能な復号時間は、コードブロックおよび／またはトランスポートブロックの受信ＳＩＮＲとしきい値ＳＩＮＲとに基づいて、コードブロックおよび／またはトランスポートブロックにわたって分配され得る。利用可能な復号時間はまた、他の様式でコードブロックおよび／またはトランスポートブロックにわたって分配され得る。
【０１１３】
[0092]本開示の別の態様では、コードブロックに割り振るべき復号反復のターゲット数に基づいてチャネル状態情報（ＣＳＩ：channel state information）が決定され得る。ＵＥ１１０は、基地局からの基準信号またはパイロットに基づいてチャネル状態を推定し得、推定されたチャネル状態に基づいてＣＳＩを決定し得る。ＣＳＩは、チャネル品質インジケータ（ＣＱＩ：channel quality indicator）、ランクインジケータ（ＲＩ：rank indicator）、プリコーディング行列インジケータ（ＰＭＩ：precoding matrix indicator）などを含み得る。ＣＱＩは受信ＳＩＮＲを示し得、ＭＣＳにマッピングされ得る。ＲＩは、データ送信のために使用すべきレイヤまたは空間チャネルの数を示し得る。ＰＭＩは、送信機における空間処理／プリコーディングのために使用すべきプリコーディング行列またはベクトルを示し得る。基地局のためのスケジューラが、ＵＥ１１０から受信されたＣＳＩに基づいてＵＥ１１０をデータ送信のためにスケジュールし得る。
【０１１４】
[0093]上述されたように、（たとえば、約１ｄＢ程度の）小さいＳＩＮＲマージンは、復号反復の必要とされる数を大幅に低減し得る。一例では、コードブロックを割り振るべき復号反復の数は、ＣＱＩ報告に負バイアスを導入することによって低減され得る。たとえば、ＵＥ１１０は、ＸｄＢの受信ＳＩＮＲを測定し得るが、Ｘ−ΔｄＢの受信ＳＩＮＲに基づいてＭＣＳを決定し得、ただし、Δは負バイアスの量を示す。約１ｄＢの負バイアスは、復号反復の必要とされる数を３〜５に低減し得る。負バイアスは、より低いＭＣＳがＵＥ１１０によって選択され、ＣＳＩフィードバックとして送られることをもたらし得る。負バイアスは、高データレート（スペクトル効率）レジームにおけるスループットの減損を小さくさせ得る。高データレートレジームは、最大数のコードブロックの送信をサポートし得、最高の復号要件を有し得る。高データレートレジームは、負バイアスされたＣＱＩ報告に起因するより低い復号要件から大幅に恩恵を受け得る。高データレートレジームはまた、負バイアスされたＣＱＩ報告に起因するスループットの小さい減損を許容することが可能であり得る。
【０１１５】
[0094]本明細書で開示される技法は、上記で説明されたように、ダウンリンク上でデータ送信をサポートするために使用され得る。本技法はまた、アップリンク上でデータ送信をサポートするために使用され得る。
【０１１６】
[0095]本明細書で開示される技法は、復号性能を改善し他の利益を獲得するために統計的平均化利得を活用する。異なるコードブロックは、フェージングおよび／または干渉変動により異なるチャネル状態を観測し得、異なる数の復号反復を割り振られ得る。すべてのコードブロックによって必要とされる復号反復の総数は、個々のコードブロックによって観測されるチャネル状態の平均に依存し得、各コードブロックによって必要とされる復号反復の数よりも少ない変動を有し得る。統計的平均化利得は、データ送信のために使用されるコードブロックの数および／またはリソースの量（たとえば、空間チャネルの数および／またはキャリアの数）とともに増加し得る。
【０１１７】
[0096]たとえば、ＬＴＥにおけるカテゴリー４（Ｃａｔ−４）のＵＥが、１５０メガビット／秒（Ｍｂｐｓ）のピークデータレートのために１つのサブフレーム中に単一の２０ＭＨｚキャリア上で７５キロビット（Ｋｂ）の２つのトランスポートブロックの受信をサポートすることを要求され得る。ＵＥは、２つのトランスポートブロックに均等に割り振られ得る、１ｍｓの合計の利用可能な復号時間を有し得る。各トランスポートブロックは、次いで、復号時間の５００μｓを割り振られ得、トランスポートブロックがそれの５００μｓ割振り復号時間内に復号され得ることを保証するように選択されたＭＣＳに基づいて送信され得る。第１のトランスポートブロックのコードブロックのすべてが割振り復号時間よりも早く（たとえば、４００μｓ中に）正常に復号された場合、第１のトランスポートブロックの残った復号時間は第２のトランスポートブロックに再割り振りされ得る。第２のトランスポートブロックの各コードブロックは、次いで、第２のトランスポートブロックのためのより長い利用可能な復号時間（たとえば、６００μｓ）に起因して、より多くの復号反復を割り振られ得る。
【０１１８】
[0097]別の例として、ＬＴＥリリース１０（Ｒｅｌ−１０）のＵＥが、３００Ｍｂｐｓのピークデータレートで２つの２０ＭＨｚキャリア上でＭＩＭＯを用いたデータ送信をサポートし得る。ＵＥは、最高４つのトランスポートブロックを受信し得、各トランスポートブロックはピークデータレートにおいて最高１３個のコードブロックを含む。この例では、統計的平均化利得がより大きくなり得る。各トランスポートブロック内のコードブロックにわたる干渉変動が統計的平均化利得をさらに増加させ得る。
【０１１９】
[0098]本明細書で開示される技法は、より多くの次元を介した、たとえば、ＭＩＭＯを用いた空間次元にわたる、キャリアアグリゲーションを用いた周波数次元にわたる、および／または複数の無線アクセス技術上でのデータ受信をサポートし得る。ＭＩＭＯおよび／またはキャリアアグリゲーションは、データレートを増加させるために使用され得る。ただし、ＭＩＭＯおよびキャリアアグリゲーションはまた、コードブロックの復号に関する複雑さおよび電力管理に関して問題を引き起こし得る。特に、複数のコードブロックが、ＭＩＭＯおよび／またはキャリアアグリゲーションを用いて同時に送られ得、フェージングおよび／または干渉に関して異なるチャネル状態を受け得る。コードブロックにわたるチャネル変動性の別の源は、時間および／または周波数選択性フェージングおよび／または干渉であり得る。たとえば、複数のコードブロックは、異なるコードブロックが独立の時間間隔を占有し、したがって、時間的干渉変動に起因して異なるチャネル状態にさらされ得るような、時間周波数リソースにマッピングされ得る。
【０１２０】
[0099]本明細書で開示される技法は、ＵＥが、各コードブロックのワーストケースチャネル状態の代わりに、すべてのコードブロックの予想される平均チャネル状態に基づいて決定される復号能力を伴って設計されることを可能にし得る。ＵＥの復号能力は、様々な可能なチャネル状態／実現形態にわたるすべてのコードブロックのために必要な復号反復の総数の統計的分布に基づいて決定され得る。この統計的分布は、コンピュータシミュレーション、経験的測定などによって決定され得る。予想される平均チャネル状態のために必要とされる復号能力は、各コードブロックのワーストケースチャネル状態のために必要とされる復号能力よりもはるかに小さくなり得る。これは、所与のデータ受信要件（たとえば、所与のＵＥカテゴリー）についてＵＥの復号能力要件を緩和するか、またはＵＥが所与の復号能力についてより多くのコードブロックの受信をサポートすることを可能にし得る。
【０１２１】
[00100]
[00101]図８は、受信機の利用可能な復号時間／バジェットを共有することによって復号を実行するための例示的なプロセス８００を示している。プロセス８００は、ＵＥ１１０または何らかの他のエンティティによって実行され得る。
【０１２２】
[00102]受信機の合計の利用可能な復号時間に基づいて複数のトランスポートブロックの複数のコードブロックのための初期割振り復号時間を決定し得る（ブロック８１２）。各トランスポートブロックは少なくとも１つのコードブロックを含み得、各コードブロックは任意のサイズを有し得る。各コードブロックのための初期割振り復号時間は、そのコードブロックのために実行すべき特定の数の復号反復によって与えられ得る。
【０１２３】
[00103]複数のトランスポートブロックのうちの１つまたは複数の１つまたは複数のコードブロックを復号し得る（ブロック８１４）。各コードブロックは、そのコードブロックのための初期割振り復号時間内に復号され得る。各コードブロックは、コードブロックのＣＲＣおよび／またはＬＬＲに基づいてコードブロックが正しく復号されたのか間違って復号されたのかを決定するために検査され得る。所与のコードブロックは早く正常に復号されることがあり、次のコードブロックの復号が開始し得る。
【０１２４】
[00104]複数のトランスポートブロックのうちの１つまたは複数の１つまたは複数のコードブロックを復号した後の残りの利用可能な復号時間を決定し得る（ブロック８１６）。残りの利用可能な復号時間は、合計の利用可能な復号時間−すでに復号された１つまたは複数のコードブロックの実際の復号時間に等しくなり得る。
【０１２５】
[00105]残りの利用可能な復号時間に基づいて複数のトランスポートブロックの未復号コードブロックのための更新された割振り復号時間を決定し得る（ブロック８１８）。未復号コードブロックは、まだ復号されていないコードブロックである。１つまたは複数のコードブロックは、それらの初期割振り復号時間よりも早く復号され得る。この場合、残りの利用可能な復号時間は、初期に予期されたものよりも長くなり得、未復号コードブロックの更新された割振り復号時間は未復号コードブロックの初期割振り復号時間よりも長くなり得る。
【０１２６】
[00106]次いで、複数のトランスポートブロックのすべてのコードブロックが復号されたかどうかの決定が行われ得る（ブロック８２０）。答えが「Ｎｏ」である場合、プロセスは、ブロック８１４に戻って、１つまたは複数の残りのコードブロックを復号し得る。そうではなく、すべてのコードブロックが復号されており、ブロック８２０の答えが「Ｙｅｓ」である場合、プロセスは終了し得る。
【０１２７】
[00107]複数のトランスポートブロックは、１つまたは複数の無線アクセス技術を介して１つまたは複数のキャリア上の１つまたは複数の空間チャネルを介して受信され得る。一例では、複数のトランスポートブロックは、複数の送信アンテナから複数の受信アンテナへのＭＩＭＯ送信を介して受信され得る。別の例では、複数のトランスポートブロックは、複数のキャリア上で受信され得、それらの複数のキャリアの各々上に少なくとも１つのトランスポートブロックを含み得る。また別の例では、複数のトランスポートブロックは、複数の無線アクセス技術を介して受信され得、複数の無線アクセス技術の各々のために少なくとも１つのトランスポートブロックを含み得る。複数のトランスポートブロックはまた、ＭＩＭＯ、キャリアアグリゲーション、および／または複数の無線アクセス技術の組合せを介して受信され得る。
【０１２８】
[00108]複数のコードブロックのための初期割振り復号時間は様々な様式で決定され得る。一例では、複数のコードブロックは、初めに、等しい復号時間または等しい数の復号反復を割り振られ得る。別の例では、コードブロックの初期割振り復号時間は、そのコードブロックの受信信号品質および／またはＭＣＳに基づいて決定され得る。また別の例では、コードブロックの初期割振り復号時間は、そのコードブロックの測定された受信信号品質としきい値受信信号品質とに基づいて決定され得る。しきい値受信信号品質は、コードブロックのためのＭＣＳによって決定され得る。また別の例では、トランスポートブロックのコードブロックのための初期割振り復号時間は、そのトランスポートブロックの、前に復号されたコードブロックの実際の復号時間に基づいて決定され得る。また別の例では、第１のトランスポートブロックのコードブロックのための初期割振り復号時間は、第２のトランスポートブロックの、前に復号されたコードブロックの実際の復号時間に基づいて決定され得る。
【０１２９】
[00109]一例では、残りの利用可能な復号時間はトランスポートブロックのコードブロックにわたって再割り振りされ得る。合計の利用可能な復号時間は、たとえば、式（６）に示されているように、各トランスポートブロックのための割振り復号時間を取得するために、複数のトランスポートブロックに割り振られ得る。トランスポートブロックのための割振り復号時間と、トランスポートブロックの１つまたは複数のコードブロックの実際の復号時間とに基づいて、トランスポートブロックの１つまたは複数のコードブロックを復号した後の、トランスポートブロックのための残りの利用可能な復号時間が決定され得る。未復号コードブロックのための更新された割振り復号時間を取得するために、トランスポートブロックのための残りの利用可能な復号時間は、トランスポートブロックの未復号コードブロックに再割り振りされ得る。
【０１３０】
[00110]別の例では、残りの利用可能な復号時間は、たとえば、同じキャリアまたは同じ無線アクセス技術上の、トランスポートブロックにわたって再割り振りされ得る。合計の利用可能な復号時間は、各トランスポートブロックのための割振り復号時間を取得するために、複数のトランスポートブロックに割り振られ得る。トランスポートブロックのすべてのコードブロックを復号した後に、受信機の残りの利用可能な復号時間が決定され得る。受信機の残りの利用可能な復号時間に基づいて、まだ復号されていない少なくとも１つの残りのトランスポートブロックのコードブロックのための更新された割振り復号時間が決定され得る。たとえば、受信機の残りの利用可能な復号時間は、少なくとも１つの残りのトランスポートブロックに再割り振りされ得る。各残りのトランスポートブロックのための再割り振りされた復号時間は、そのトランスポートブロックのコードブロックに再割り振りされ得る。
【０１３１】
[00111]また別の例では、残りの利用可能な復号時間は、たとえば、同じ無線アクセス技術についての、キャリアにわたって再割り振りされ得る。合計の利用可能な復号時間は、各キャリアのための割振り復号時間を取得するために、複数のキャリアに割り振られ得る。キャリア上のすべてのトランスポートブロックのすべてのコードブロックを復号した後に、受信機の残りの利用可能な復号時間が決定され得る。受信機の残りの利用可能な復号時間に基づいて、まだ復号されていない少なくとも１つの残りのキャリアのためのトランスポートブロックのコードブロックのための更新された割振り復号時間が決定され得る。たとえば、受信機の残りの利用可能な復号時間は、少なくとも１つの残りのキャリアに再割り振りされ得る。各残りのキャリアのための再割り振りされた復号時間は、そのキャリア上のコードブロックに再割り振りされ得る。
【０１３２】
[00112]また別の例では、残りの利用可能な復号時間は、無線アクセス技術にわたって再割り振りされ得る。合計の利用可能な復号時間は、各無線アクセス技術のための割振り復号時間を取得するために、複数の無線アクセス技術に割り振られ得る。無線アクセス技術のためのすべてのトランスポートブロックのすべてのコードブロックを復号した後に、受信機の残りの利用可能な復号時間が決定され得る。受信機の残りの利用可能な復号時間に基づいて、まだ復号されていない少なくとも１つの残りの無線アクセス技術のためのトランスポートブロックのコードブロックのための更新された割振り復号時間が決定され得る。たとえば、受信機の残りの利用可能な復号時間は、少なくとも１つの残りの無線アクセス技術に再割り振りされ得る。各残りの無線アクセス技術のための再割り振りされた復号時間は、その無線アクセス技術上のコードブロックに再割り振りされ得る。
【０１３３】
[00113]概して、残りの利用可能な復号時間は、任意の数の次元および任意の特定の次元にわたって再割り振りされ得る。一例では、複数のトランスポートブロックの複数のコードブロックのための初期割振り復号時間が、複数のサブフレームの各々において決定され得る。サブフレームは送信時間のユニットであり得、所定の持続時間を有し得る。
【０１３４】
[00114]一例では、受信機において利用可能な復号時間の所望の／ターゲット割振りに基づいてＣＱＩが生成され得る。受信機における受信信号品質が推定され得る。その受信信号品質とオフセットとに基づいてＣＱＩが決定され得る。オフセットは、ＣＱＩに基づいて送られるコードブロックのための復号反復の必要とされる数を低減するように選択され得る。コードブロックによって観測される実際の受信信号品質が、推定される受信信号品質と同様であると仮定すると、より大きいオフセットは、コードブロックがより少数の復号反復で正常に復号されることをもたらし得る。ＣＱＩは、送信機に送られ得、その送信機によってコードブロックを符号化し変調するために使用され得る。
【０１３５】
[00115]図９は、図７のプロセス７００および／または図８のプロセス８００を実行することが可能であり得る装置９００のハードウェア実装形態の一部を示している。装置９００は、回路を含み、ＵＥ（たとえば、図１のＵＥ１１０）または何らかの他のエンティティの一構成であり得る。本明細書および添付の特許請求の範囲では、「回路」という用語は、機能上の用語ではなく構造上の用語として解釈される。たとえば、回路は、図９で図示および説明されるものなど、処理および／またはメモリセル、ユニット、ブロックなどの形態の回路構成要素の集合体、たとえば、多数の集積回路構成要素であり得る。
【０１３６】
[00116]装置９００は、いくつかの回路を互いにリンクする中央データバス９０２を備える。回路は、少なくとも１つのプロセッサ９０４と、受信回路９０６と、送信回路９０８と、メモリ９１０とを含む。メモリ９１０は、プロセッサ９０４と電子通信しており、したがって、プロセッサ９０４は、メモリ９１０からの情報の読取りおよび／またはメモリ９１０への情報の書込みを行い得る。プロセッサ９０４は、汎用プロセッサ、中央処理ユニット（ＣＰＵ）、マイクロプロセッサ、デジタル信号プロセッサ（ＤＳＰ）、コントローラ、マイクロコントローラ、状態機械、特定用途向け集積回路（ＡＳＩＣ）、プログラマブル論理デバイス（ＰＬＤ）、フィールドプログラマブルゲートアレイ（ＦＰＧＡ）などを備え得る。プロセッサ９０４は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成を備え得る。
【０１３７】
[00117]受信回路９０６および送信回路９０８は、（図９に示されていない）ＲＦ回路に接続され得る（またはそれを含み得る）。受信回路９０６は、受信信号を処理し、バッファした後、その信号をデータバス９０２に送出し得る。送信回路９０８は、データバス９０２からのデータを処理し、バッファした後、装置９００からそのデータを送出し得る。プロセッサ９０４は、データバス９０２のデータ管理の機能、さらに、メモリ９１０の命令コンテンツを実行することを含む、一般的なデータ処理の機能を実行し得る。送信回路９０８および受信回路９０６は、（図９に示されているように）プロセッサ９０４の外部にあり得、またはプロセッサ９０４の一部であり得る。
【０１３８】
[00118]メモリ９１０は、本明細書で説明される方法を実装するためにプロセッサ９０４によって実行可能な命令のセット９１２を記憶する。図８のプロセス８００を実装するために、命令９１２は、受信機または装置９００の合計の利用可能な復号時間に基づいて複数のトランスポートブロックの複数のコードブロックのための初期割振り復号時間を決定するためのコード９２２と、各トランスポートブロックが少なくとも１つのコードブロックを含む、複数のトランスポートブロックのうちの１つまたは複数の１つまたは複数のコードブロックを復号するためのコード９２４と、１つまたは複数のコードブロックを復号した後の残りの利用可能な復号時間を決定するためのコード９２６と、残りの利用可能な復号時間に基づいて複数のトランスポートブロックの未復号コードブロックのための更新された割振り復号時間を決定するためのコード９２８とを含み得る。命令９１２は、他の機能のための他のコード、たとえば、図７のプロセス７００を実装するためのコードを含み得る。メモリ９１０は、コードブロックに割り振るべき復号反復の数対｛ＭＣＳ，ＳＩＮＲ｝ペアまたは対ＳＩＮＲ差（測定されたＳＩＮＲとしきい値ＳＩＮＲとの間の差）を記憶し得る、１つまたは複数のルックアップテーブルを記憶し得る。
【０１３９】
[00119]メモリ９１０に示された命令９１２は、任意のタイプのコンピュータ可読ステートメントを備え得る。たとえば、メモリ９１０中の命令９１２は、１つまたは複数のプログラム、ルーチン、サブルーチン、モジュール、関数、プロシージャ、データセットなどを指し得る。命令９１２は、単一のコンピュータ可読ステートメントまたは多くのコンピュータ可読ステートメントを備え得る。
【０１４０】
[00120]メモリ９１０は、ＲＡＭ（ランダムアクセスメモリ）回路であり得る。メモリ９１０は、揮発性タイプまたは不揮発性タイプのいずれかであり得る別のメモリ回路（図示せず）に結合され得る。代替として、メモリ９１０は、ＥＥＰＲＯＭ（登録商標）（電気消去可能プログラマブル読取り専用メモリ）、ＥＰＲＯＭ（電気プログラマブル読取り専用メモリ）、ＲＯＭ（読取り専用メモリ）、ＡＳＩＣ（特定用途向け集積回路）、磁気ディスク、光ディスク、および当技術分野でよく知られている他のものなど、他の回路タイプから製造され得る。メモリ９１０は、命令９１２を記憶したコンピュータ可読媒体を備えるコンピュータプログラム製品の一例であると見なされ得る。
【０１４１】
[00121]装置９００は、図２の送信機２１０および／または受信機２５０を実装し得る。装置９００中に送信機２１０を実装するために、プロセッサ９０４は、エンコーダ２２０と変調器２３０とコントローラ／プロセッサ２４０とを実装し得、メモリ９１２はデータソース２１２とメモリ２４２とを実装し得、送信回路９０８はＴＸユニット２３２を実装し得る。エンコーダ２２０と変調器２３０との機能は、ハードウェア、ソフトウェア、および／またはファームウェアにおいて実装され得る。エンコーダ２２０と変調器２３０とのためのソフトウェアおよび／またはファームウェアは（もしあれば）、メモリ９１２に記憶され、プロセッサ９０４によって実行され得る。エンコーダ２２０と変調器２３０とのためのハードウェアは（もしあれば）、プロセッサ９０４の一部であり得る。装置９００中に受信機２５０を実装するために、プロセッサ９０４は、復調器２６０とデコーダ２７０とコントローラ／プロセッサ２８０とを実装し得、メモリ９１２はデータシンク２７２とメモリ２８２とを実装し得、受信回路９０６はＲＸユニット２５２を実装し得る。復調器２６０とデコーダ２７０との機能は、ハードウェア、ソフトウェア、および／またはファームウェアで実装され得る。復調器２６０とデコーダ２７０とのためのソフトウェアおよび／またはファームウェアは（もしあれば）、メモリ９１２に記憶され、プロセッサ９０４によって実行され得る。復調器２６０とデコーダ２７０とのためのハードウェアは（もしあれば）、プロセッサ９０４の一部であり得る。
【０１４２】
[00122]図９は、ワイヤレスデバイス／ＵＥのための装置の例示的なブロック図を示している。図９のプロセッサ、メモリ、および回路は様々な様式で実装され得る。たとえば一例では、ワイヤレスデバイスは、ＡＳＩＣと、ＡＳＩＣに結合された１つまたは複数のメモリと、ＡＳＩＣに結合された１つまたは複数のＲＦＩＣとを含み得る。プロセッサ９０４はＡＳＩＣ内に実装され得る。メモリ９１０は、ＡＳＩＣの外部の１つまたは複数のメモリ、および／またはＡＳＩＣの内部の１つまたは複数のメモリで実装され得る。受信回路９０６と送信回路９０８とはＲＦＩＣ上に実装され得る。ワイヤレスデバイスはまた、図９に示されていない異なるおよび／または他のプロセッサ、メモリ、および回路を含み得る。ワイヤレスデバイスのプロセッサ、メモリ、および回路は、上記で説明された例とは異なる他の様式でも実装され得る。
【０１４３】
[00123]本開示についての以上の説明は、あらゆる当業者が本開示を製作および使用できるようにするために提示される。説明の目的で、以上の説明において詳細が記載された。本開示はこれらの具体的な詳細を使用せずに実施され得ることを当業者は了解するであろうことを、諒解されたい。他の例では、本開示の説明を不要な詳細で不明瞭にしないために、よく知られている構造およびプロセスについては詳述されていない。したがって、本発明は、本明細書で説明される例および設計によって限定されるものではなく、本明細書で開示される原理および特徴に合致する最も広い範囲を与えられるべきである。
【０１４４】
[00124]本明細書で説明される機能は、ハードウェア、ソフトウェア、ファームウェア、またはそれらの任意の組合せで実装され得る。ソフトウェアで実装される場合、機能は１つまたは複数の命令としてコンピュータ可読媒体上に記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で所望のプログラムコードを記憶するために使用され得、コンピュータによってアクセスされ得る、任意の他の媒体を備え得る。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。
【０１４５】
[00125]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１４６】
[00126]本明細書で開示される方法は、説明された方法を達成するための１つまたは複数のステップまたは動作を備える。本方法のステップおよび／または動作は、特許請求の範囲から逸脱することなく互いに交換され得る。言い換えれば、説明されている方法の適切な動作のためにステップまたは動作の特定の順序が必要とされない限り、特定のステップおよび／または動作の順序および／または使用は、特許請求の範囲から逸脱することなく修正され得る。
【０１４７】
[00127]特許請求の範囲は、上記に示された厳密な構成および構成要素に限定されないことを理解されたい。特許請求の範囲から逸脱することなく、本明細書で説明されるネットワーク、方法、および装置の構成、動作および詳細において、様々な修正、変更および変形が行われ得る。
【０１４８】
[00128]いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定の下で解釈されるべきではない。
【図１】
2017050876.tif 000020
【図２】
2017050876.tif 000021
【図３】
2017050876.tif 000022
【図４】
2017050876.tif 000023
【図５】
2017050876.tif 000024
【図６】
2017050876.tif 000025
【図７】
2017050876.tif 000026
【図８】
2017050876.tif 000027
【図９】
2017050876.tif 000028
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
受信機の合計の利用可能な復号時間に基づいて複数のトランスポートブロックの複数のコードブロックのための初期割振り復号時間を決定することと、各トランスポートブロックが少なくとも１つのコードブロックを含む、
前記複数のトランスポートブロックのうちの１つまたは複数の１つまたは複数のコードブロックを復号した後の残りの利用可能な復号時間を決定することと、
前記残りの利用可能な復号時間に基づいて前記複数のトランスポートブロックの未復号コードブロックのための更新された割振り復号時間を決定することと
を備える、ワイヤレス通信のための方法。
【手続補正２】
【補正対象書類名】明細書
【補正対象項目名】０１４８
【補正方法】変更
【補正の内容】
【０１４８】
[00128]いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定の下で解釈されるべきではない。
以下に本件出願当初の特許請求の範囲に記載された発明を付記する。
［１］  受信機の合計の利用可能な復号時間に基づいて複数のトランスポートブロックの複数のコードブロックのための初期割振り復号時間を決定することと、各トランスポートブロックが少なくとも１つのコードブロックを含む、前記複数のトランスポートブロックのうちの１つまたは複数の１つまたは複数のコードブロックを復号した後の残りの利用可能な復号時間を決定することと、前記残りの利用可能な復号時間に基づいて前記複数のトランスポートブロックの未復号コードブロックのための更新された割振り復号時間を決定することとを備える、ワイヤレス通信のための方法。
［２］  複数の送信アンテナから複数の受信アンテナへの多入力多出力（ＭＩＭＯ）送信を介して前記複数のトランスポートブロックを受信することをさらに備える、［１］に記載の方法。
［３］  複数のキャリア上で前記複数のトランスポートブロックを受信することをさらに備え、前記複数のトランスポートブロックが前記複数のキャリアの各々上に少なくとも１つのトランスポートブロックを含む、［１］に記載の方法。
［４］  複数の無線アクセス技術を介して前記複数のトランスポートブロックを受信することをさらに備え、前記複数のトランスポートブロックが、前記複数の無線アクセス技術の各々のために少なくとも１つのトランスポートブロックを含む、［１］に記載の方法。
［５］  前記複数のコードブロックが、等しい初期割振り復号時間または等しい数の復号反復を割り振られる、［１］に記載の方法。
［６］  初期割振り復号時間を前記決定することが、コードブロックの受信信号品質、または前記コードブロックのための変調およびコーディング方式（ＭＣＳ）、または両方に基づいて前記コードブロックのための初期割振り復号時間を決定することを備える、［１］に記載の方法。
［７］  初期割振り復号時間を前記決定することが、コードブロックの測定された受信信号品質としきい値受信信号品質とに基づいて前記コードブロックのための初期割振り復号時間を決定することを備える、［１］に記載の方法。
［８］  初期割振り復号時間を前記決定することが、トランスポートブロックの復号されたコードブロックの実際の復号時間に基づいて前記トランスポートブロックのコードブロックのための初期割振り復号時間を決定することを備える、［１］に記載の方法。
［９］  初期割振り復号時間を前記決定することが、第２のトランスポートブロックの復号されたコードブロックの実際の復号時間に基づいて第１のトランスポートブロックのコードブロックのための初期割振り復号時間を決定することを備える、［１］に記載の方法。
［１０］  前記複数のトランスポートブロックの各々のための割振り復号時間を決定することをさらに備え、ここにおいて、残りの利用可能な復号時間を前記決定することが、前記複数のトランスポートブロックの中のトランスポートブロックのための前記割振り復号時間と、前記トランスポートブロックの１つまたは複数のコードブロックの実際の復号時間とに基づいて、前記トランスポートブロックの前記１つまたは複数のコードブロックを復号した後の、前記トランスポートブロックのための残りの利用可能な復号時間を決定することを備え、およびここにおいて、更新された割振り復号時間を前記決定することが、前記トランスポートブロックのための前記残りの利用可能な復号時間に基づいて前記トランスポートブロックの未復号コードブロックのための更新された割振り復号時間を決定することを備える、
［１］に記載の方法。
［１１］  前記複数のトランスポートブロックの各々のための割振り復号時間を前記決定することが、各トランスポートブロックのすべてのコードブロックのための初期割振り復号時間に基づいて前記各トランスポートブロックのための前記割振り復号時間を決定することを備える、［１０］に記載の方法。
［１２］  前記複数のトランスポートブロックの各々のための割振り復号時間を決定することをさらに備え、ここにおいて、残りの利用可能な復号時間を前記決定することが、前記複数のトランスポートブロックの中のトランスポートブロックのすべてのコードブロックを復号した後の前記受信機の残りの利用可能な復号時間を決定することを備え、およびここにおいて、更新された割振り復号時間を前記決定することが、前記受信機の前記残りの利用可能な復号時間に基づいて、まだ復号されていない各残りのトランスポートブロックのための更新された割振り復号時間を決定することと、前記各残りのトランスポートブロックのための前記更新された割振り復号時間に基づいて、まだ復号されていない各残りのトランスポートブロックの各コードブロックのための更新された割振り復号時間を決定することとを備える、
［１］に記載の方法。
［１３］  前記複数のキャリアの各々のための割振り復号時間を決定することをさらに備え、ここにおいて、残りの利用可能な復号時間を前記決定することが、前記複数のキャリアの中のキャリア上のすべてのトランスポートブロックのすべてのコードブロックを復号した後の前記受信機の残りの利用可能な復号時間を決定することを備え、およびここにおいて、更新された割振り復号時間を前記決定することが、前記受信機の前記残りの利用可能な復号時間に基づいて、まだ復号されていない少なくとも１つの残りのキャリアのためのトランスポートブロックのコードブロックのための更新された割振り復号時間を決定することを備える、
［３］に記載の方法。
［１４］  前記複数の無線技術の各々のための割振り復号時間を決定することをさらに備え、ここにおいて、残りの利用可能な復号時間を前記決定することが、前記複数の無線アクセス技術の中の無線アクセス技術のためのすべてのトランスポートブロックのすべてのコードブロックを復号した後の前記受信機の残りの利用可能な復号時間を決定することを備え、およびここにおいて、更新された割振り復号時間を前記決定することが、前記受信機の前記残りの利用可能な復号時間に基づいて、まだ復号されていない少なくとも１つの残りの無線アクセス技術のためのトランスポートブロックのコードブロックのための更新された割振り復号時間を決定することを備える、
［４］に記載の方法。
［１５］  初期割振り復号時間を前記決定することが、複数のサブフレームの各々中の前記複数のトランスポートブロックの前記複数のコードブロックのための前記初期割振り復号時間を決定することを備え、各サブフレームが所定の持続時間を有する、［１］に記載の方法。
［１６］  前記受信機において受信信号品質を推定することと、前記受信信号品質とオフセットとに基づいてチャネル品質インジケータを決定することと、前記オフセットが、前記チャネル品質インジケータに基づいて送られるコードブロックのための復号反復の必要とされる数を低減するように選択される、前記チャネル品質インジケータを送信機に送ることと
をさらに備える、［１］に記載の方法。
［１７］  受信機の合計の利用可能な復号時間に基づいて複数のトランスポートブロックの複数のコードブロックのための初期割振り復号時間を決定するための手段と、各トランスポートブロックが少なくとも１つのコードブロックを含む、前記複数のトランスポートブロックのうちの１つまたは複数の１つまたは複数のコードブロックを復号した後の残りの利用可能な復号時間を決定するための手段と、前記残りの利用可能な復号時間に基づいて前記複数のトランスポートブロックの未復号コードブロックのための更新された割振り復号時間を決定するための手段と
を備える、ワイヤレス通信のための装置。
［１８］  初期割振り復号時間を決定するための前記手段が、コードブロックの受信信号品質、または前記コードブロックのための変調およびコーディング方式（ＭＣＳ）、または両方に基づいて前記コードブロックのための初期割振り復号時間を決定するための手段を備える、［１７］に記載の装置。
［１９］  初期割振り復号時間を決定するための前記手段が、コードブロックの測定された受信信号品質としきい値受信信号品質とに基づいて前記コードブロックのための初期割振り復号時間を決定するための手段を備える、［１７］に記載の装置。
［２０］  前記複数のトランスポートブロックの各々のための割振り復号時間を決定するための手段をさらに備え、ここにおいて、残りの利用可能な復号時間を決定するための前記手段が、前記複数のトランスポートブロックの中のトランスポートブロックのための前記割振り復号時間と、前記トランスポートブロックの１つまたは複数のコードブロックの実際の復号時間とに基づいて、前記トランスポートブロックの前記１つまたは複数のコードブロックを復号した後の、前記トランスポートブロックのための残りの利用可能な復号時間を決定するための手段を備え、およびここにおいて、更新された割振り復号時間を決定するための前記手段が、前記トランスポートブロックのための前記残りの利用可能な復号時間に基づいて前記トランスポートブロックの未復号コードブロックのための更新された割振り復号時間を決定するための手段を備える、
［１７］に記載の装置。
［２１］  前記複数のトランスポートブロックの各々のための割振り復号時間を決定するための手段をさらに備え、ここにおいて、残りの利用可能な復号時間を決定するための前記手段が、前記複数のトランスポートブロックの中のトランスポートブロックのすべてのコードブロックを復号した後の前記受信機の残りの利用可能な復号時間を決定するための手段を備え、およびここにおいて、更新された割振り復号時間を決定するための前記手段が、前記受信機の前記残りの利用可能な復号時間に基づいて、まだ復号されていない各残りのトランスポートブロックのための更新された割振り復号時間を決定するための手段と、前記各残りのトランスポートブロックのための前記更新された割振り復号時間に基づいて、まだ復号されていない各残りのトランスポートブロックの各コードブロックのための更新された割振り復号時間を決定するための手段とを備える、［１７］に記載の装置。
［２２］  前記複数のキャリアの各々のための割振り復号時間を決定するための手段をさらに備え、ここにおいて、残りの利用可能な復号時間を決定するための前記手段が、複数のキャリアの中のキャリア上のすべてのトランスポートブロックのすべてのコードブロックを復号した後の前記受信機の残りの利用可能な復号時間を決定するための手段を備え、およびここにおいて、更新された割振り復号時間を決定するための前記手段が、前記受信機の前記残りの利用可能な復号時間に基づいて、まだ復号されていない少なくとも１つの残りのキャリアのためのトランスポートブロックのコードブロックのための更新された割振り復号時間を決定するための手段を備える、［１７］に記載の装置。
［２３］  前記複数の無線技術の各々のための割振り復号時間を決定するための手段をさらに備え、ここにおいて、残りの利用可能な復号時間を決定するための前記手段が、複数の無線アクセス技術の中の無線アクセス技術のためのすべてのトランスポートブロックのすべてのコードブロックを復号した後の前記受信機の残りの利用可能な復号時間を決定するための手段を備え、およびここにおいて、更新された割振り復号時間を決定するための前記手段が、前記受信機の前記残りの利用可能な復号時間に基づいて、まだ復号されていない少なくとも１つの残りの無線アクセス技術のためのトランスポートブロックのコードブロックのための更新された割振り復号時間を決定するための手段を備える、
［１７］に記載の装置。
［２４］  受信機の合計の利用可能な復号時間に基づいて複数のトランスポートブロックの複数のコードブロックのための初期割振り復号時間を決定することと、各トランスポートブロックが少なくとも１つのコードブロックを含む、前記複数のトランスポートブロックのうちの１つまたは複数の１つまたは複数のコードブロックを復号した後の残りの利用可能な復号時間を決定することと、前記残りの利用可能な復号時間に基づいて前記複数のトランスポートブロックの未復号コードブロックのための更新された割振り復号時間を決定することとを行うように構成された回路を備える、ワイヤレス通信のための装置。
［２５］  前記回路が、コードブロックの受信信号品質、または前記コードブロックのための変調およびコーディング方式（ＭＣＳ）、または両方に基づいて前記コードブロックのための初期割振り復号時間を決定するように構成された、［２４］に記載の装置。
［２６］  前記回路が、コードブロックの測定された受信信号品質としきい値受信信号品質とに基づいて前記コードブロックのための初期割振り復号時間を決定するように構成された、［２４］に記載の装置。
［２７］  前記回路が、前記複数のトランスポートブロックの各々のための割振り復号時間を決定することと、前記複数のトランスポートブロックの中のトランスポートブロックのための前記割振り復号時間と、前記トランスポートブロックの１つまたは複数のコードブロックの実際の復号時間とに基づいて、前記トランスポートブロックの前記１つまたは複数のコードブロックを復号した後の、前記トランスポートブロックのための残りの利用可能な復号時間を決定することと、前記トランスポートブロックのための前記残りの利用可能な復号時間に基づいて前記トランスポートブロックの未復号コードブロックのための更新された割振り復号時間を決定することと
を行うように構成された、［２４］に記載の装置。
［２８］  前記回路が、前記複数のトランスポートブロックの各々のための割振り復号時間を決定することと、前記複数のトランスポートブロックの中のトランスポートブロックのすべてのコードブロックを復号した後の前記受信機の残りの利用可能な復号時間を決定することと、前記受信機の前記残りの利用可能な復号時間に基づいて、まだ復号されていない各残りのトランスポートブロックのための更新された割振り復号時間を決定することと、前記各残りのトランスポートブロックのための前記更新された割振り復号時間に基づいて、まだ復号されていない各残りのトランスポートブロックの各コードブロックのための更新された割振り復号時間を決定することとを行うように構成された、［２４］に記載の装置。
［２９］  前記回路が、前記複数のキャリアの各々のための割振り復号時間を決定することと、複数のキャリアの中のキャリア上のすべてのトランスポートブロックのすべてのコードブロックを復号した後の前記受信機の残りの利用可能な復号時間を決定することと、前記受信機の前記残りの利用可能な復号時間に基づいて、まだ復号されていない少なくとも１つの残りのキャリアのためのトランスポートブロックのコードブロックのための更新された割振り復号時間を決定することとを行うように構成された、［２４］に記載の装置。
［３０］  前記回路が、前記複数の無線技術の各々のための割振り復号時間を決定することと、複数の無線アクセス技術の中の無線アクセス技術のためのすべてのトランスポートブロックのすべてのコードブロックを復号した後の前記受信機の残りの利用可能な復号時間を決定することと、前記受信機の前記残りの利用可能な復号時間に基づいて、まだ復号されていない少なくとも１つの残りの無線アクセス技術のためのトランスポートブロックのコードブロックのための更新された割振り復号時間を決定することと
を行うように構成された、［２４］に記載の装置。
［３１］  受信機の合計の利用可能な復号時間に基づいて複数のトランスポートブロックの複数のコードブロックのための初期割振り復号時間を決定することを少なくとも１つのコンピュータに行わせるためのコードと、各トランスポートブロックが少なくとも１つのコードブロックを含む、前記複数のトランスポートブロックのうちの１つまたは複数の１つまたは複数のコードブロックを復号した後の残りの利用可能な復号時間を決定することを前記少なくとも１つのコンピュータに行わせるためのコードと、前記残りの利用可能な復号時間に基づいて前記複数のトランスポートブロックの未復号コードブロックのための更新された割振り復号時間を決定することを前記少なくとも１つのコンピュータに行わせるためのコードとを備える非一時的コンピュータ可読媒体を備える、コンピュータプログラム製品。
【外国語明細書】
2017050876000001.pdf